(57)【要約】一組の書類のうちの各書類を一意に識別するそれぞれの識別子を除き、内容が同一である一組の書類のうちの書類を製作する方法であって、各識別子が少なくとも第１の証印を有するか、又は個々の証印が境界を規定し、基材を設けるステップと、第１の背景印刷を基材上に適用するステップであって、第１の背景印刷が証印受入領域の境界の少なくとも一部を規定するステップと、第１の証印が証印受入領域内に設けられるように、前記基材上にそれぞれの識別子を適用するステップと、を含み、第１の背景印刷及びそれぞれの識別子は、書類が透過及び反射の少なくとも１つで見られるとき、第１の背景印刷及び第１の証印が並列配置されるように適用され、第１の証印の境界の少なくとも一部の周囲に延びるキーラインが、第１の証印と証印受入領域との間に規定される。
2022502286.tif 000002
【特許請求の範囲】
【請求項１】
一組の書類のうちの書類を製作する方法であって、
前記一組の書類は、各書類を独自に識別する個々の識別子を除いて内容において同一であり、個々の識別子は少なくとも第１の証印を有するか、又は境界を規定する証印を有する、方法において、
基材を提供するステップと、
前記基材上に第１の背景印刷を適用するステップであって、前記第１の背景印刷は、証印受入領域の境界の少なくとも一部を規定するステップと、
前記証印受入領域に第１の証印が提供されるように、前記基材上の個々の識別子を適用するステップと、を備え、
前記第１の背景印刷と個々の識別子とは、前記書類が透過及び反射のうちの少なくとも１つで見られたときに、前記第１の背景印刷及び前記第１の証印が並列配置されるように、規定され、前記第１の証印の境界の少なくとも一部分の周囲に延びるキーラインが前記第１の証印と前記証印受入領域の境界の間で規定される、方法。
【請求項２】
前記基材は少なくとも半透明である、請求項１に記載の方法。
【請求項３】
前記基材上に第２の背景印刷を適用するステップをさらに含み、前記第１及び第２の背景印刷は前記基材の両面に形成されている、請求項１又は２に記載の方法。
【請求項４】
前記第２の背景印刷は前記証印受入領域の境界の少なくとも一部分を規定する、請求項３に記載の方法。
【請求項５】
前記基材は少なくとも半透明であり、前記第２の背景印刷の一部分が、前記基材の第１の面から前記キーラインを通って透かして観察される、請求項３又は４に記載の方法。
【請求項６】
前記第１の背景印刷及び前記識別子は前記基材の同じ面に適用される、請求項１〜５の何れか一項に記載の方法。
【請求項７】
前記第１の背景印刷と前記識別子とは前記基材の反対側の面に適用される、請求項２〜５の何れか一項に記載の方法。
【請求項８】
個々の識別子の第１の部分は前記基材の第１の面に適用され、個々の識別子の第２の部分は前記基材の第２の面に適用される、請求項２〜５の何れか一項に記載の方法。
【請求項９】
個々の識別子の前記第１の部分は前記第１の証印の第１の部分を有し、前記識別子の前記第２の部分は前記第１の証印の第２の部分を有する、請求項８に記載の方法。
【請求項１０】
個々の識別子は２つ以上の証印を有し 、前記識別子の前記第１及び／又は第２の部分は前記２つ以上の証印の少なくとも一つの証印を有する、請求項８又は９に記載の方法。
【請求項１１】
前記第１及び／又は第２の背景印刷は、前記第１の証印が拡がる横方向領域の２倍以上である横方向領域に亘って拡がり、好ましくは前記第１の証印が拡がる横方向領域の５倍以上である横方向領域に亘って拡がり、好ましくは前記第１の証印が延在する横方向領域の１０倍以上である横方向領域に亘って拡がる、請求項１〜１０の何れか一項に記載の方法。
【請求項１２】
前記第１及び／又は第２の背景印刷は、前記書類の横方向領域の少なくとも１０％、好ましくは少なくとも２５％、より好ましくは少なくとも５０％、更に好ましくは７５％に亘って拡がる、請求項１〜１１の何れか一項に記載の方法。
【請求項１３】
前記第１の証印は、前記書類が透過及び／又は反射によって見られたときに、前記基材の各面から視認できる、請求項３〜１２の何れか一項に記載の方法。
【請求項１４】
前記キーラインは、前記書類が透過及び／又は反射によって見られたときに、前記基材の各面から視認できる、請求項３〜１３の何れか一項に記載の方法。
【請求項１５】
前記キーラインは、前記第１の証印の境界の少なくとも１５％、好ましくは少なくとも３０％、より好ましくは少なくとも５０％、更に好ましくは少なくとも７５％の周囲を長さよって拡がる、請求項１〜１４の何れか一項に記載の方法。
【請求項１６】
前記キーラインは前記第１の証印の全境界の周囲に拡がる、請求項１〜１５の何れか一項に記載の方法。
【請求項１７】
前記キーラインは、前記第１の証印及び前記第１並びに／又は第２の背景印刷と視覚的に対照を成す、請求項１〜１６の何れか一項に記載の方法。
【請求項１８】
前記キーラインは、前記第１の証印、前記第１の背景印刷及び／又は第２の背景印刷とは異なる色合い、透明度、反射率、又はパターンを表示する、請求項１〜１７の何れか一項に記載の方法。
【請求項１９】
前記キーラインは未印刷領域にある、請求項１〜１８の何れか一項に記載の方法。
【請求項２０】
前記証印受入領域内に印刷を適用するステップを有し、好ましくは前記証印受入領域内の前記印刷が証印受入印刷である、請求項１〜１９の何れか一項に記載の方法。
【請求項２１】
マイクロテキスト又はセキュリティパターンを前記証印受入領域に適用するステップをさらに有する、請求項１〜２０の何れか一項に記載の方法。
【請求項２２】
前記第１の証印が、文字、数字、又は記号の少なくとも１つを有する、請求項１〜２１の何れか一項に記載の方法。
【請求項２３】
各々の識別子は英数字である、請求項１〜２２の何れか一項に記載の方法。
【請求項２４】
個々の識別子はシリアルコードである、請求項１〜２３の何れか一項に記載の方法。
【請求項２５】
前記第１及び／又は第２の背景印刷は、均一色の領域、セキュリティパターン、回折レリーフ、エンボス潜、アンチ走査パターン、ギローチ、グラフィック、写真、アートワーク、シンボル、ポートレート、英数字、証印の領域を有する、請求項１〜２４の何れか一項に記載の方法。
【請求項２６】
前記キーラインは、少なくとも２５μｍ、好ましくは少なくとも５０μｍ、より好ましくは少なくとも１００μｍの幅を有する、請求項１〜２５の何れか一項に記載の方法。
【請求項２７】
前記キーラインは、最大で２ｍｍ、好ましくは最大で１ｍｍ、より好ましくは最大で０．５ｍｍの幅を有する、請求項１〜２６の何れか一項に記載の方法。
【請求項２８】
前記第１の証印、第１の背景印刷及び／又は第２の背景印刷はデジタル印刷され、好ましくは、インクジェット印刷、レーザ印刷、昇華型方式、又はゼログラフィの何れか一つを使用する。請求項１〜２７の何れか一項に記載の方法。
【請求項２９】
前記第１の背景印刷と前記識別子は同じ印刷物に適用される、請求項１〜２８何れか一項に記載の方法。
【請求項３０】
前記第１の背景印刷及び第２の背景印刷は同時に適用される、請求項３〜２９の何れか一項に記載の方法。
【請求項３１】
個々の識別子は複数の証印を有し、個々の証印が境界を規定し、
第１の背景印刷は複数の証印受入領域の境界の少なくとも一部を規定し、
個々の識別子は、個々の証印が前記複数の証印受入領域のうちの個々の証印受入領域に形成され、
前記第１の背景印刷と個々の識別子とは、前記書類が透過及び反射の少なくとも１つで見られたとき、前記第１の背景印刷及び個々の証印が並列配置されるように、規定され、個々の証印の境界の少なくとも一部分の周囲に延びるキーラインが個々の証印と該証印が形成される前記証印受入領域の境界の間で規定される、請求項１〜３０の何れか一項に記載の方法。
【請求項３２】
前記書類がセキュリティ書類である、請求項１〜３１の何れか一項に記載の方法。
【請求項３３】
前記書類は、紙幣、小切手、身分証明書、証明書、株券、スタンプ、ビザ、パスポート、ライセンス、バンクカード又はＩＤカードである、請求項１〜３２の何れか一項に記載の方法。
【請求項３４】
一組の書類を製作する方法であって、
該一組の書類は、各書類を独自に識別する個々の識別子を除いて内容において同一であり、個々の識別子は少なくとも第１の証印を有するか、又は境界を規定する証印を有する、方法において、
基材を提供するステップと、
前記基材上に第１の背景印刷を適用するステップであって、前記第１の背景印刷は、証印受入領域の境界の少なくとも一部を規定するステップと、
前記証印受入領域に第１の証印が提供されるように、前記基材上の個々の識別子を適用するステップと、を備え、
前記第１の背景印刷と個々の識別子とは、前記書類が透過及び反射のうちの少なくとも１つで見られたときに、前記第１の背景印刷及び前記第１の証印が並列配置されるように、規定され、前記第１の証印の境界の少なくとも一部分の周囲に延びるキーラインが前記第１の証印と前記証印受入領域の境界の間で規定される、方法。
【請求項３５】
請求項１〜３３の何れか一項に記載の方法で製作された書類。
【請求項３６】
請求項３４に記載の方法で製作された書類。
【請求項３７】
一組の書類のうちの書類であって、
前記一組の書類は、各書類を独自に識別する個々の識別子を除いて内容において同一であり、個々の識別子は少なくとも第１の証印を有するか、又は個々の証印が境界を規定する、書類において、
基材と、
前記基材上に形成された第１の背景印刷であって、証印受入領域の境界の少なくとも一部を規定する、前記第１の背景印刷と、を有し、
第１の証印が前記証印受入領域内に提供されるように、前記個々の識別子は前記基材に提供され、
前記第１の背景印刷と個々の識別子とは、前記書類が透過及び反射のうちの少なくとも１つで見られたときに、前記第１の背景印刷及び前記第１の証印が並列配置されるように、規定され、前記第１の証印の境界の少なくとも一部分の周囲に延びるキーラインが前記第１の証印と前記証印受入領域の境界の間で規定される、書類。
【請求項３８】
前記基材は少なくとも半透明である、請求項３６に記載の書類。
【請求項３９】
前記基材上に第２の背景印刷を有し、前記第１及び第２の背景印刷は前記基材の両面に形成されている、請求項３７又は３８に記載の書類。
【請求項４０】
前記第２の背景印刷は、前記証印受入領域の境界の少なくとも一部分を規定する、請求項３９に記載の書類。
【請求項４１】
前記基材は少なくとも半透明であり、前記第２の背景印刷の一部分が、前記基材の第１の面から前記キーラインを通って透かして観察される、請求項３９又は４０に記載の書類。
【請求項４２】
前記第１の背景印刷と前記識別子とは前記基材の反対側の面に適用される、請求項３７〜４１の何れか一項に記載の書類。
【請求項４３】
前記第１の背景印刷と前記識別子とは前記基材の反対側の面に適用される、請求項３７〜４１の何れか一項に記載の書類。
【請求項４４】
個々の識別子の第１の部分は前記基材の第１の面に設けられ個々の識別子の第２の部分は前記基材の第２の面に設けられている、請求項３８〜４１の何れか一項に記載の書類。
【請求項４５】
個々の識別子の前記第１の部分は前記第１の証印の第１の部分を有し、前記識別子の前記第２の部分は前記第１の証印の第２の部分を有する、請求項４４に記載の書類。
【請求項４６】
個々の識別子は２つ以上の証印を有し 、前記識別子の前記第１及び／又は第２の部分は前記２つ以上の証印の少なくとも一つの証印を有する、請求項４４又は４５に記載の書類。
【請求項４７】
前記第１及び／又は第２の背景印刷は、前記第１の証印が拡がる横方向領域の２倍以上である横方向領域に亘って拡がり、好ましくは前記第１の証印が拡がる横方向領域の５倍以上である横方向領域に亘って拡がり、好ましくは前記第１の証印が延在する横方向領域の１０倍以上である横方向領域に亘って拡がる、請求項３７〜４６の何れか一項に記載の書類。
【請求項４８】
前記第１及び／又は第２の背景印刷は、前記書類の横方向領域の少なくとも１０％、好ましくは少なくとも２５％、より好ましくは少なくとも５０％、更に好ましくは７５％に亘って拡がる、請求項３７〜４７の何れか一項に記載の書類。
【請求項４９】
前記第１の証印は、前記書類が透過及び／又は反射によって見られたときに、前記基材の各面から視認できる、請求項３９〜４８の何れか一項に記載の書類。
【請求項５０】
前記キーラインは、前記書類が透過及び／又は反射によって見られたときに、前記基材の各面から視認できる、請求項３７〜４９の何れか一項に記載の書類。
【請求項５１】
前記キーラインは、前記第１の証印の境界の少なくとも１５％、好ましくは少なくとも３０％、より好ましくは少なくとも５０％、更に好ましくは少なくとも７５％の周囲を長さよって拡がる、請求項３７〜５０の何れか一項に記載の書類。
【請求項５２】
前記キーラインは前記第１の証印の全境界の周囲に拡がる、請求項３７〜５１の何れか一項に記載の書類。
【請求項５３】
前記キーラインは、前記第１の証印及び前記第１並びに／又は第２の背景印刷と視覚的に対照を成す、請求項３７〜５２の何れか一項に記載の書類。
【請求項５４】
前記キーラインは、前記第１の証印、前記第１の背景印刷及び／又は第２の背景印刷とは異なる色合い、透明度、反射率、又はパターンを表示する、請求項３７〜５３の何れか一項に記載の書類。
【請求項５５】
前記キーラインは未印刷領域にある、請求項３７〜５４の何れか一項に記載の書類。
【請求項５６】
前記証印受入領域内に印刷を有し、好ましくは前記証印受入領域内の前記印刷が証印受入印刷である、請求項３７〜５５の何れか一項に記載の書類。
【請求項５７】
マイクロテキスト又はセキュリティパターンを前記証印受入領域に設けられている、請求項３７〜５６の何れか一項に記載の書類。
【請求項５８】
前記第１の証印が、文字、数字、又は記号の少なくとも１つを有する、請求項３７〜５７の何れか一項に記載の書類。
【請求項５９】
各々の識別子は英数字である、請求項３７〜５８の何れか一項に記載の書類。
【請求項６０】
個々の識別子はシリアルコードである、請求項３７〜５９の何れか一項に記載の書類。
【請求項６１】
前記第１及び／又は第２の背景印刷は、均一色の領域、セキュリティパターン、回折レリーフ、エンボス潜、アンチ走査パターン、ギローチ、グラフィック、写真、アートワーク、シンボル、ポートレート、英数字、証印の領域を有する、請求項３７〜６０の何れか一項に記載の書類。
【請求項６２】
前記キーラインは、少なくとも２５μｍ、好ましくは少なくとも５０μｍ、より好ましくは少なくとも１００μｍの幅を有する、請求項３７〜６１の何れか一項に記載の書類。
【請求項６３】
前記キーラインは、最大で２ｍｍ、好ましくは最大で１ｍｍ、より好ましくは最大で０．５ｍｍの幅を有する、請求項３７〜６２の何れか一項に記載の書類。
【請求項６４】
前記第１の証印、第１の背景印刷及び／又は第２の背景印刷はデジタル印刷され、好ましくは、インクジェット印刷、レーザ印刷、昇華型方式、又はゼログラフィの何れか一つを使用する。請求項３７〜６３の何れか一項に記載の書類。
【請求項６５】
前記第１の背景印刷と前記識別子は同じ印刷物の部分として設けられている、請求項３７〜６４の何れか一項に記載の書類。
【請求項６６】
個々の識別子は複数の証印を有し、個々の証印が境界を規定し、
第１の背景印刷は複数の証印受入領域の境界の少なくとも一部を規定し、
個々の識別子は、個々の証印が前記複数の証印受入領域のうちの個々の証印受入領域に設けられるように提供され、
前記書類が透過及び反射の少なくとも１つで見られたとき、前記第１の背景印刷及び個々の証印の並列配置が、個々の証印の境界の少なくとも一部分の周囲に延びるキーラインが個々の証印と該証印が形成される前記証印受入領域の境界の間で規定されるように、前記第１の背景印刷と個々の識別子とが設けられている請求項３７〜６５の何れか一項に記載の書類。
【請求項６７】
前記書類がセキュリティ書類である、請求項３７〜６６の何れか一項に記載の書類。
【請求項６８】
前記書類は、紙幣、小切手、身分証明書、証明書、株券、スタンプ、ビザ、パスポート、ライセンス、バンクカード又はＩＤカードである、請求項３７〜６７の何れか一項に記載の書類。
【請求項６９】
一組の書類であって、
該一組の書類は各書類を独自に識別する個々の識別子を除いて内容において同一であり、個々の識別子は少なくとも第１の証印を有するか、又は境界を規定する証印を有する、  一組の書類において、
基材と、
前記基材上に形成された第１の背景印刷であって、証印受入領域の境界の少なくとも一部を規定する、前記第１の背景印刷と、を有し、
第１の証印が前記証印受入領域内に提供されるように、前記個々の識別子は前記基材に設けられ、
前記第１の背景印刷と個々の識別子とは、前記書類が透過及び反射のうちの少なくとも１つで見られたときに、前記第１の背景印刷及び前記第１の証印が並列配置されるように、規定され、前記第１の証印の境界の少なくとも一部分の周囲に延びるキーラインが前記第１の証印と前記証印受入領域の境界の間で規定される、一組の書類。
【発明の詳細な説明】
【技術分野】
【０００１】
本発明の実施の形態は、一般に、多量に製作され、使用される書類、特に紙幣、小切手、パスポート、識別カード、運転免許などの価値を確保し、同一性を証明するためのセキュリティ書類（document）に関する。セキュリティを強化し、偽造者を妨げるが改良された製作方法及び書類を提供する。
【背景技術】
【０００２】
歴史的には、多量に製作される書類又は製品には、固有の識別子を付けることができる。各固有識別子は、多量の一組の書類（the larger series）うちの単一の書類又は製品に提供される。
【０００３】
例えば、セキュリティ書類（紙幣、小切手、パスポート、識別書類、証明書及び免許など）には、一般的に英数字シリアルコードが提供される。これらのシリアルコードは、各書類が一組の書類のうちの特定の書類を識別する固有のコードを提供されるように、連続的又は増分的に書類に適用される。連続して製作される書類は、容易に認識される一組の書類の予め定められた価値（例えば、数字又は文字によって）によって互いに異なる。
【０００４】
固有の識別子は、各書類を偽造し（２つの書類は同一の固有識別子を持つべきではないので）、トレース（各書類はその識別子を使用して個別に識別できるため）することを防ぐのを助ける。
【０００５】
書類は、通常、製作中又は製作後に、「ナンバリングボックス」、「ナンバリングバレル」又は「ナンバリング印刷機」と呼ばれるナンバリング機械によって固有の識別子を提供され、これらの識別子は、各書類上の所望の位置又は位置に番号又はコードを印刷し、所定の順序及び書類間で機械によって印刷される番号を変更するようになっている。ナンバリング（すなわち、シリアル番号、シリアルコード、バーコードなどの任意の識別子を有する書類を提供すること）も、他の印刷方法によって実行されてもよい
【０００６】
対照的に、背景印刷、グラフィック、テキスト及びセキュリティ装置（ホログラム、レンチキュラー装置及びモアレ干渉装置を含む）及びセキュリティ印刷を含む書類の他の特徴は、しばしば固定され、一組の書類のうちの直前（前後）の書類間では変化しない。これらの固定された特徴は、安価で且つ固定画像の効率的な印刷手段を提供する、グラビア、凹版又は平版印刷を用いて、伝統的に印刷される。従来、固有の識別子は、固定された背景画像上、又は背景画像が提供されていない書類の領域上に印刷される。
【０００７】
書類の大部分は決まった外観を有しているため、書類の外観又は製作の不一致（真正書類と不正書類の間に存在する可能性がある）は、迅速かつ容易に認識される可能性がある。
【０００８】
特許文献１は、互いに上下に配置され、文字が高さ、幅、又はタイプスタイルなどの物理的特性で変化する、複数の数値又はアルファベット文字で形成されたコードで一組の書類に番号を付ける書類及び方法を記載する。
【０００９】
シリアルコード（又は別の識別子）で書類の不正複製を試みる人物は、多くの問題に直面する。問題の一つは、与えられた一組の真正書類のうちの各書類は、１つ以上の箇所に独自の複数文字コードを持つという問題である。偽造者は、この課題を多数の方法で克服しようとするかもしれない
【００１０】
例えば、かれらは、それを、ある状況において全て同一の複数文字コードを有する複数の書類を製作することが十分であるみなすかもしれない。これは、任意に選択された１つの真正書類の多数の文字コードを含む写真から作られた印刷版を繰り返し使用することによって行うことができる。しかし、一旦、不正な複製があることが知られると、すべての複製に同じコード又は識別子が付いている場合は、更なる複製を検出するのが容易である。
【００１１】
他の可能な解決法は、「真正」又は正式に使用された複数文字コード（例えば、その最初の３つの文字）の文字の一部のみを印刷するための印刷版の製作及び使用を含むと共に、ナンバリング装置又は何らかの他の印刷手段又はシステムから所望のインプレッションを受け取るように、認可され且つ部分的にナンバリングされた書類を適切に配置することによって、その後の欠落した文字の挿入を含む。
【００１２】
偽造品の可能性に対する更なる解決策は、固定された文字を有する印刷版を使用して、複数文字コードの部分を印刷することを含む。「サイドレイ」、すなわち印刷手段と印刷される書類の相対位置を変更することによって、プレート上の部品文字は、それらが複数文字コード内の異なる位置又は位置を占めるように印刷することができる。したがって、固定された「部分文字」を有する限られた数のプレートを、サイドレイ調整の異なる組合せと併せて使用することによって、小数の部分文字印刷動作で、比較的多数の異なる複数文字コードを得ることができる。欠損している文字や文字が再びある場合、例えば、前の段落で述べたように、ナンバリング装置によって記入されなければならない。
【００１３】
採用されている方法にかかわらず、不正書類の作成者の目的は、識別数字の外観を含めて、真正書類の外観に近い外観を作ることである。
【先行技術文献】
【特許文献】
【００１４】
【特許文献１】欧州特許出願公開第０３３４３９０（Ａ２）号明細書
【発明の概要】
【発明が解決しようとする課題】
【００１５】
したがって、書類及びそれらに提供される識別子のセキュリティを改善する一定の必要性があることが理解されるであろう。本発明の目的は、実質的に、このような書類の不正な複製者が直面する困難性を増大させることである。
【課題を解決するための手段】
【００１６】
本発明の一態様によれば、一組の書類のうちの各書類を独自に識別するそれぞれの識別子を除き、内容が同一である一組の書類の書類を製作する方法が提供され、各識別子は少なくとも第１の証印（indicium, indicia）を有すること、又は境界を規定する証印を有し、
基材を提供するステップと、
基材上に第１の背景印刷を適用するステップであって、第１の背景印刷は、証印受入領域の境界の少なくとも一部を規定するステップと、
第１の証印が証印受入領域に提供されるように、基材上のそれぞれの識別子を適用するステップと、
書類が透過及び反射の少なくとも一つで見られたときに、第１の背景印刷と第１の証印とが並列配置されるように、第１の背景印刷とそれぞれの識別子が適用され、第１の証印の境界の少なくとも一部の周囲に延びるキーラインは、第１の証印と証印受入領域の境界との間で規定される。
【００１７】
本発明のさらなる態様によれば、一組の書類のうちの各書類を独自に識別するそれぞれの識別子を除いて、内容が同一である一組の書類のうちの書類が提供され、各識別子は、少なくとも第１の証印を有すること、又は境界を規定する証印を有し、
基材と、
基材上に設けられた第１の背景印刷であって、証印受入領域の境界の少なくとも一部を規定する、第１の背景印刷と、を有し、
個々の識別子は、第１の証印が証印受入領域に設けられるように基材上に設けられ、第１の背景印刷及びそれぞれの識別子は、書類が透過及び反射の少なくとも１つで見られたとき、第１の背景印刷及び第１の証印が並列配置されるように設けられ、第１の証印の境界の少なくとも一部の周囲に延びるキーラインが第１の証印と証印受入領域の境界との間で規定される。
【００１８】
したがって、本発明者らは、強力な偽造防止効果をもたらすために書類ごとに異なる識別子の全体又は一部をキーラインで囲むように、２つの別個の印刷された特徴の並列配置を適用することを認識した。
【００１９】
上述の方法及び書類では、書類の識別子における証印の周りのキーラインは、第１の背景印刷と識別子の第１の証印という２つの別々の特徴の間における、並置又は対称によって作成される。このキーラインは、書類を認証する人又は機械によって容易に観察することができる。
【００２０】
キーラインの正確な提供は、正確な位置決め（すなわち、別個の第１の背景印刷と識別子との間の対応する、又は相対的な位置決め）を必要とする。第１の証印と第１の背景印刷の位置の不一致は、キーラインの外観に影響し、容易に観察される。この高レベルの位置決めには、多くの偽造者には利用できない高精度の製作技術が必要である。従って、本発明に従って製作された書類は、容易に認証され、偽造がより困難であるため、セキュリティが強化される。
【００２１】
このように、本方法及び書類は、シリアルコード及びシリアル番号のような識別子を使用する従来の書類尾と比較されることができる。従来の書類では、識別子はある書類を別の書類から区別することができるが、その識別子は、さらなるセキュリティ効果を提供するために、公衆又は製作業者によって認識されない。対照的に、本発明に従って製作された書類は、より高い安全性と前述の認証容易性を提供する。
【００２２】
キーラインは、書類上の２つの特徴を分離する輪郭線又は境界線である。したがって、キーラインは、第１の証印の少なくとも一部の輪郭に従うことになる。
【００２３】
キーラインは、第１の証印を第１の背景印刷から分離し、従って、第１の証印の少なくとも一部の周囲に境界を提供する。特に好ましい実施形態では、第１の証印及び第１の背景印刷印刷は、装置によって示されたキーラインは、助けを要しない人間の観察者−すなわちキーラインは、好ましくは、助けを要しない眼又は裸眼で見えるように適用される。従って、人は、追加の装置又は検出装置を必要とせずに書類が真正であるか否かを判断することができる。
【００２４】
上述したように、一組の書類のうちの書類に提供される識別子は固有である。例えば、識別子は、各識別子における証印の併用及び／又は順序が固有であるように、複数の証印を含み得る。識別子が複数の書類間で変化すると、第１の証印、したがって第１の証印のも変化する。一例として、識別子が英数字である場合、第１の証印は、「０」から一組の書類のうちの直前又は連続する一対の書類間で「１」に変化する。
【００２５】
第１の証印の境界が一組の書類間で変化する場合、第１の証印の周りのキーライン（すなわち、輪郭線又は境界線）を維持するために、証印が提供される証印受入領域の境界も変化しなければならない。言い換えれば、キーラインは第１の証印と証印受入領域の境界との並列配置によって作成され、第１の証印の境界は複数の書類間で変化するので、証印受入領域の境界とこの証印受入領域を規定する第１の背景印刷は、キーラインを正しく規定するために複数の書類間で変化しなければならない。
【００２６】
従って、本発明では、識別子及び第１の背景印刷（及び第１の背景印刷によって規定される証印受入領域）は、各々の書類にキーラインを正しく生成するために、一組の書類のうちの複数の書類間で変化しなければならない。従って、偽造者によって使用される識別子を複製する伝統的な方法は、本発明による書類の外観を模倣するには不十分であり、不適当である。ここで、第１の背景印刷、証印受入領域及びキーラインは、全て、書類に適用される固有識別子に従って変化する。本発明による書類を模倣することは、従来の書類（例えば、複数文字シリアルコード）上で使用される標準識別子の複製に必要とされるよりもかなり多くの時間、労力、及び費用を不正複製者が必要とするであろう。従って、本発明による書類及び方法は、より高い安全性を提供する。
【００２７】
上述の印刷された特徴は、好ましくは、デジタル印刷方法及びシステムを使用して提供される。より伝統的なオフセット印刷方法を使用することも可能である。しかし、オフセット印刷を使用することは、印刷物に必要なバリエーションのために多種多様な印刷版又はドラムを作成しなければならないため、偽造者は費用と時間をより多く必要とするだろう。したがって、本明細書で論じられる方法によって製作される書類及び一組の書類の安全性が高まる。
【００２８】
より詳細には、潜在的偽造者は、必要な精度で書類を経済的に複製するのに十分な品質のデジタル印刷装置を得るのに問題がある可能性が高い。さらに、背景印刷の物理的な広がりを変化させる必要性から、不正複製者は、固定された背景画像を有する書類上の識別子を単にスタンプするだけの市販の数字ボックスを、完全に又は部分的に使用するだけではできない。また、使用された印刷プロセスにかかわらず、不正な複製者が正確なキーラインを作成するために、第１の背景印刷と第１の証印との間の必要な位置決めを達成することは難しいであろう。
【００２９】
複製が高品質でない場合、書類の不正複製が容易に検出可能になる。キーラインを規定するために必要な第１の背景印刷によって画定される識別子及び証印受入領域の境界の変化、及びこれらの変化の間で必要とされる正確な位置決めは、高品質の不正複写を不経済にする試みをもたらすであろう。したがって、与えられた書類と一組の書類の安全性が高まる。
【００３０】
好ましい実施形態では、キーラインは、一定の（又は実質的に一定の）横方向寸法の線である。この効果は、証印受入領域の境界が証印の境界に平行である位置で作成される。しかしながら、これは必須ではなく、ある実施形態では、証印の周囲のキーラインの幅は、連続的に又は不連続に（証印の第１の部分の周りのキーラインの幅は、証印の２番目の部分の周りのキーラインの幅よりも広くても狭くてもよいように）変化してもよい。
【００３１】
「規定すること（defining）」によって、証印受入領域の境界及びキーラインの境界は、背景印刷の境界によって（例えば、証印受入領域内の境界と証印との間にインクが提供されないように）形成され、又は基材に適用されるインクの特性の変化によって（例えば、証印受入領域内に適用される印刷−例えば、その中で又はその上において証印が適用される領域を規定する証印受入印刷−が、背景印刷と比較したときに、異なる色、外観又は他の特性を有するように）形成されてもよいことが理解される。
【００３２】
用語「上に（on）」によって、特徴、層、印刷又は印刷物が、基材と接触して、又は基材の上方に適用されることが理解される。したがって、「on」は、２つの特徴が厳密に隣接しているか、又は直接的に接触していることを必要とすると理解されるべきではない。言い換えれば、特徴が基材（又は書類の別の構成要素）上に適用される場合、印刷された特徴と基材との間にさらなる層又は特徴が提供され得る。
【００３３】
「横方向（Lateral）」は、書類と実質的に同じ平面内、すなわち、基材のいずれかの面から延びる法線に対して垂直な方向に延びることを意味すると理解される。
【００３４】
好ましくは、基材は少なくとも半透明である。このような実施形態では、キーラインは、証印が適用される基材の面から少なくとも透過して、それぞれの証印の少なくとも一部の周囲に延在して見えるかもしれない。
【００３５】
「少なくとも半透明」によって、基材（及び識別子の領域内でそれに適用される任意のさらなる層）は、基材の第１の面に適用される印刷された特徴が、基材の第２の面から少なくとも透過で光によって観察されるように、少なくとも半透明であることが理解される。好ましくは、基材は、可視スペクトル（すなわち、約３８０〜７００ｎｍ）において少なくとも半透明である。これらの半透明又は透明の基材は、色合いを有することができる。好ましい実施形態では、少なくとも半透明基材は、入射可視光の少なくとも２０％を透過し、より好ましくは、少なくとも半透明基材は、入射可視光の少なくとも５０％を透過し、より好ましくは、基材は、入射可視光の少なくとも７５％を透過する。
【００３６】
例えば、基材は、ポリエチレンテレファレート（ＰＥＴ）、二軸延伸ポリプロピレン（ＢＯＰＰ）、ポリカーボネート（ＰＣ）、ポリ塩化ビニル（ＰＶＣ）、ポリブトリレンテレファレート（ＰＢＴ）、ナイロン又はアクリル酸などのプラスチック材料を含んでもよい。プラスチック又はポリマーの利点は、耐久性、防水性、強力、涙液にくく、リサイクルしやすいことである。さらなる実施形態では、基材は、紙、布樹脂又はガラスのような適当な代替材料で形成すされてもよい。
【００３７】
基材は、単一層（すなわち、モノリシック基材）を含んでもよく、又は多層基材であってもよい。モノリシック基材は素早く、安く、簡単に製作できる。対照的に、多層基材は、より複雑な構造の創生を可能にする。多層基材のサブ層は、熱及び／又は接着剤によって一緒に固定されてもよい。
【００３８】
書類は、基材又は基材の上に適用される１つ以上の不透明化層を含んでもよい。例えば、背景印刷は不透明化層であってもよい。これらの不透明層は、不透明、半透明又は半不透明材料（例えば、白色又は灰色顔料を含むインク又はコーティング、又は照明散乱材料）を含む。いくつかの実施態様において、十分又は実質的に目視で不透明な組み合わせ層を作成するために、複数の半透明又は半不透明の不透明層を互いに適用することができる。各個々の不透明層は、０．１〜０．５、より好ましくは０．１〜０．４、最も好ましくは０．１〜０．３の範囲の光学密度を有し得る（直径１ｍｍの丸と同等の開口面積を有する透過濃度計で測定される−透過濃度計はMacBeth TD９３２が相応する）。
【００３９】
基材又は書類全体は、静電気の蓄積を防止するための導電層、印刷物に対する損傷又は改ざんを防止又は軽減するための保護層、接着層、書類の光沢を減少させるため、及び／又は書類が積み重ねられるときに互いに付着するのを防止するためのマッティング添加剤を潜在的に含む透明ワニス、及び／又は上述の層及び／又は印刷物を分離する間隔層を含む、様々な他の層を含んでもよい。これらの層は、多層基材の一部として、基材と第１及び／又は第２の背景印刷の間、又は基材に対する第１及び／又は第２の背景印刷の上方（すなわち、第１及び／又は第２の背景印刷が基材とさらなる層との間にあるように）に設けられてもよい。
【００４０】
好ましくは、本方法は、さらに、第２の背景印刷印刷を基材上に適用するステップを含み、第１の背景印刷及び第２の背景印刷は、基材の対向する反対側の面に適用される。したがって、書類の対向する面からの書類の外観は、第１の背景印刷が書類の第１の面から観察され、第２の背景印刷が書類の第２の面から観察され得るので、異なる場合がある。これは、両面書類（紙幣など）を製作する場合には好ましいが、本質的なものではない。
【００４１】
特に好ましい実施態様において、第２の背景印刷は、証印受入領域の境界の少なくとも一部を規定する。つまり、第１及び第２の背景印刷は、各々、証印受入領域の境界の対応部分を規定する。例えば、第１及び第２の背景印刷は、同一の境界（すなわち、基材又は書類の合同領域上に延びる）を有するか、又は少なくとも証印受入領域が規定されるところで対応（一致する）境界を共有することができる。あるいは、第２の背景印刷は、証印受入領域の境界の異なる部分を規定することができる（その場合、第１の証印の境界の異なる部分の周りに延在するキーラインは、第２の背景印刷によって規定される証印受入領域の境界と第１の証印との間で基材の少なくとも１つの面から観察され得る）。あるいは、第２の背景印刷は、証印受入領域を規定しなくてもよい。
【００４２】
これらの特徴は、基材が少なくとも半透明である場合に特に好ましい。その場合、書類が、第１の背景印刷が提供される基材の面から見られるとき、第１の背景印刷と第１の証印の並列配置は、第１の証印の境界の少なくとも一部の周囲に延びるキーラインを作る。一方、書類が、第２の背景印刷が提供される基材の面から見られたとき、第２の背景印刷と第１の証印の並列配置は、第１の証印の境界の少なくとも一部の周囲に延びるキーラインを作る。換言すれば、書類の一方の面から見ると、第１の証印は、第１の背景印刷に対して並置されたキーラインによって、全体的に又は部分的に取り囲まれて観察され、一方、書類の反対側か見ると、第１の証印は、 第２の背景印刷に対して並ぶキーラインによって、全体的又は部分的に取り囲まれて観察される。
【００４３】
識別子が２つ以上の証印を含むさらなる例では、第２の背景印刷は、第２の証印受入領域の境界の少なくとも一部を規定し、識別子は、第２の証印受入領域に第２の証印が設けられように、基材上に提供されることができる。第２の背景印刷及びそれぞれの識別子は、書類が透過及び反射の少なくとも１つで見られるときに、第２の背景印刷及び第２の証印は並列配置されるように適用され、第２の境界の少なくとも一部の周りに延びるキーラインは、第２の証印と第２の証印受入領域の境界との間で規定される。
【００４４】
あるいは、又は付加的に、基材が少なくとも半透明である場合には、第２の背景印刷の一部分が、基材の少なくとも１つの面から（すなわち、第２の背景印刷が提供される基材の面に対向する基材の面から）キーラインを通して透かして観察されてもよい。例えば、証印受入領域の境界が第１の背景印刷の境界によって規定される場合、第２の背景印刷は、第１の証印と第１の背景印刷との間のギャップを通して（すなわち、キーラインを通して）観察され得る。
【００４５】
代替的又は追加的に、識別子が少なくとも２つの証印を含む場合には、第２の背景印刷は、第２の証印受入領域の少なくとも一部を規定し、及びそれぞれの識別子は、第２の証印受入領域に第２の証印が設けられるように、基材上に適用されてもよい。第２の背景印刷及びそれぞれの識別子は、書類が透過及び反射の少なくとも１つで見られるときに、第２の背景印刷及び第２の証印の並列配置さるように、適用されてもよい。第２の証印の境界の少なくとも一部の周りに延びるさらなるキーラインは、第２の証印と第２の証印受入領域の境界との間に規定される。背景印刷のいずれかが実質的に不透明である場合には、第１の証印の周りに延びるキーラインと、第２の証印の周りに延びるキーラインとは、基材の対向する面からのみ観察され得る。
【００４６】
第２の背景印刷を使用して生成され得るこれらの複雑な書類の外観は、強化されたセキュリティの書類及び一組の書類において、偽造者が模倣することを困難にする。あるいは、他の任意の適切な物質又は適用方法を用いて、特徴を書類に適用してもよい。
【００４７】
背景印刷及び識別子は、好ましくは、任意の適切なインクを用いて印刷される。識別子を適用するために使用されるインクは、識別子が反射と透過の両方で容易に観察されるように、実質的に不透明であることが好ましいが、これは必須ではない。あるいは、他の任意の適切な物質又は適用方法を用いて、特徴を書類に適用してもよい。
【００４８】
書類は、第１及び第２の背景印刷及び識別子の適用前、適用中又は適用後に、更なる印刷物を含むことが好ましい。これらのさらなる印刷物には、書類がその機能を実行するために必要な任意のさらなるグラフィックス、テキスト、情報、セキュリティ装置などが含まれてもよい。例えば、上述の方法に製作されたブランクパスポートは、続いて、さらなる印刷物における持参者（bearer）のポートレート及び情報と共に印刷され得る。あるいは、書類が紙幣である場合には、金額又は発行体は、さらなる印刷物において、第１又は第２の背景印刷の上に適用されてもよい。
【００４９】
第１の背景印刷と識別子は、単一の印刷物又は複数の印刷物で提供されてもよい。さらに、第１の背景印刷と識別子は、任意の順序又は同時に連続して適用されてもよい。この方法は、色付きの第１の背景印刷、第２の背景印刷及び／又は識別子を形成するために組み合わせる異なる色の２つ以上の印刷物を適用することを含むことができる。例えば、ＣＭＹＫにおいてこれらの特徴のいずれかを形成するために、基材上に４つの別々の印刷物を逐次的又は同時に適用することができる。あるいは、又は付加的に、基材の第１の面に適用されるすべての特徴は、第１の印刷物において提供されてもよいが、基材の対向する面に適用されるすべての特徴は、第２の印刷物において提供されてもよい。
【００５０】
好ましくは、それぞれの識別子の第１の部分は、基材の第１の面上に適用され、それぞれの識別子の第２の部分は、基材の第２の面上に適用される。言い換えると、識別子は２つの部分に分割され、それぞれが基材の対向する面に適用される。書類を基材を透過して見ると、識別子の２つの部分が全体として組み合わせとして見える。しかしながら、書類の対向する面に適用される別々の印刷物を位置決めすることは困難であり、識別子の異なる部分間のいかなる誤位置決めも容易に観察されるであろう。したがって、不正な複製者が書類を模倣したり改ざんしたりすることをさらに妨げるので、このような実施形態は安全性が強化される。
【００５１】
好ましい例では、識別子の第１の部分は第１の証印の第１の部分を含み、識別子の第２の部分は第１の証印の第２の部分を含む。換言すれば、第１の証印は、２つの部分に分割され、第１の証印の第１の部分（すなわち、セクション又は部分）は、基材の第１の面上に印刷されるのに対して、第１の証印の第２の部分（すなわち、セクション又は部分）は、基材の第２の面上に印刷される。書類を基材を透過して見ると、証印の２つの部分が全体として組み合わせとして一緒に見える。
【００５２】
上述の例のように、キーラインは、背景印刷と第１の証印の一つ以上の部分の並列配置によって形成されることができる。例えば、キーラインは、第１の証印の第１の部分及び／又は第１の証印の第２の部分の周囲に、全体的に又は部分的に延びていてもよい。一例として、キーラインは、第１の証印の２つの部分の間で、ブレーク又はスプリットを横切って延びてもよい
【００５３】
第１の証印の２つの部分を、第１の背景印刷及び／又は第２の背景印刷（存在する場合）によって位置決めすることは、多くの偽造者には利用できない高精度の印刷装置及び方法を必要とするであろう。さらに、位置決めの誤差は、キーライン又は結合証印の外観において容易に観察され得る。このようにして、書類のセキュリティが強化される。さらなる例では、第１の証印は、基材の対向する面の間に分布する３つ以上の部分にさらに分割されてもよい。
【００５４】
代替的又は追加的に、それぞれの識別子が２つ又は３０以上の証印を含む場合には、識別子の第１の部分及び／又は識別子の第２の部分は、前記２つ又はそれ以上の２つの証印のうちの少なくとも１つの証印を含むことができる。従って、識別子が複数の証印を含む場合（例えば、従来のシリアルコード又はバーコードのように）、少なくとも１つの全体の証印を基材のいずれかの面に適用することができる。これにより、識別子の別個の部分のマーク間の配列又は位置ずれを容易に観察することができるため、書類のセキュリティが強化する。
【００５５】
好ましい実施態様において、それぞれの識別子の第１の部分は、それぞれの識別子の第２の部分と視覚的に対照をなす。例えば、それぞれの識別子の２つの部分は、異なる色、色合い、透明度、反射率、インクの厚さ又はパターンを示すことができる。あるいは、それぞれの識別子の異なる部分は、実質的に同じ視覚的外観を有してもよいが、さらなる特性（例えば、触覚、磁気又はさらなる特性）が異なってもよい。 このような相違は、書類が検査されるときに容易に観察され得るが、印刷は複雑である。従って、本発明に係る書類又は一組の書類を偽造することの困難性が増大する。
【００５６】
好ましい実施形態では、第１の背景印刷及び識別子は、基材の同じ面に適用される。例えば、第１の背景印刷と識別子は、単一の印刷物で書類に迅速かつ効率的に適用することができる。第１の背景印刷と基材の同じ面の識別子を適用することは、証印受入領域の境界と第１の証印の間の正確な位置決めが達成され、証印の周囲に全体的又は部分的に延在する正確なキーラインが容易かつ単純に作成されるようにする。
【００５７】
しかし、これは必須ではない。代替の実施形態では、第１の背景印刷及び識別子は、基材の対向する面に適用されてもよい。このような場合、第１の背景印刷と識別子の並列配置によって形成されるキーラインは、第１の背景印刷が適用される書類の面から基材を通る透過よって見られるであろう。
【００５８】
基材の対向する面に適用される印刷された特徴を正確に位置決めすることは、基材の同じ面に適用される特徴を位置決めすることよりも、著しく複雑である。例えば、シート給紙プロセスでは、基材は、注意深く回転させられ、印刷物間に再配置される。あるいは、ウェブ給紙プロセスにおいて、印刷装置が基材のウェブの両面に設けられてもよく、又は基材は、ウェブの同じ面の後続の印刷装置間で回転されてもよい。あるいは、同じ書類の対向する面に同時に印刷できる印刷装置を使用してもよい。これらの追加的なステップ及びそれらを実施するために必要な設備は、偽造者が書類又は一組の書類を正確に複製することを難しくする。そのため、書類のセキュリティが強化される。
【００５９】
好ましい実施例では、第１及び／又は第２の背景印刷は、第１の証印が延在する横方向領域の２倍以上の横方向領域、好ましくは第１の証印が延在する横方向領域の５倍以上の横方向領域、好ましくは第１の証印が延在する横方向領域の１０倍以上の横方向領域にわたって延在する。したがって、証印、キーライン、背景印刷間の並列配置が容易に観察され、書類が容易に認証される。
【００６０】
好ましくは、第１及び／又は第２の背景印刷は、書類の横方向領域の少なくとも１０％にわたって延び、好ましくは、少なくとも２５％、より好ましくは、少なくとも５０％、より好ましくは、依然として少なくとも７５％である。しかし、これは必須ではない。加えて、又は代替的に、第１及び／又は第２の背景印刷は、基材の横方向領域の少なくとも１０％にわたって延在してもよく、好ましくは、少なくとも２５％、より好ましくは、少なくとも５０％、より好ましくは、依然として少なくとも７５％である。このような実施形態では、証印、キーライン及び背景印刷の間の並置は再び容易に観察され、書類は容易に認証され得る。
【００６１】
好ましくは、第１の証印は、基材の対向する面のそれぞれからの透過及び反射の少なくとも１つにおいて見える。さらに、キーラインは、書類が透過及び／又は反射で見られるときに、基材の各面から見えることが好ましい。特に好ましい実施形態において、第１の証印及びキーラインは、透過及び反射の両方において、基材の各面から見える。これは、透明又は半透明の基材を用い、書類が証印受入領域の一部又は全体にわたって透明又は半透明であるように、基材に適用される層及び印刷された特徴を制御することによって達成され得る。
【００６２】
好ましい実施形態では、キーラインは、長さによって第１の証印の境界の少なくとも１５％の周囲に延在し、好ましくは、キーラインは、長さによって第１の証印の境界の少なくとも３０％の周囲に延在する。キーラインは、第１の証印の境界の少なくとも５０％の周囲を長さによって延びることが好ましく、さらに好ましくは、キーラインは、第１の証印の境界の少なくとも７５％の周囲を長さによって延びる。
【００６３】
上述したように、第１の証印（したがって、第１の証印の境界）は、一組の書類のうちの複数の書類間で異なる可能性がある。従って、キーラインで囲まれた与えられた証印の境界の特定の比率は、第１の証印の形状とその境界に依存する可能性がある。キーラインは、第１の証印の外部境界あるいは第１の証印の内部境界（すなわち証印と隙間又は証印内の空隙との境界）の周りに拡張することができる。
【００６４】
特に好ましい例では、キーラインは、第１の証印の外部境界の全体の周りに延びる。このような実施形態では、キーラインは、第１の証印を完全に囲んでいる。正確な位置決めキーラインを規定するために必要な第１の証印及び／又は第２の背景印刷との間の正確な位置決めは、潜在的な偽造者が偽造することを困難にする。そのため、識別書類及び一組の書類のセキュリティが強化される。
【００６５】
有利には、第１及び第２の背景印刷は、以下のように配置される。キーラインは、目盛及び第１及び／又は第２の背景印刷と視覚的に対照をなす。
【００６６】
視覚的に対照を成すことにより、キーラインは、第１の証印及び第１及び／又は第２の背景印刷印とを可視光（約４００ｎｍ〜７００ｎｍ）で比較して、観察者に対して異なる外観を呈することが理解される。そのように、キーラインは、人間又は機械によって容易に認識することができる。
【００６７】
特に、背景印刷と証印の並列配置によって形成されたキーラインは、追加機器・装置の必要なく、好ましくは、助けを要しない観察者によって視認可能である。言い換えれば、キーラインは肉眼で見えることが好ましい。従って、観察者は、識別子及び第１及び／又は第２の背景印刷、キーラインを適用するために使用される印刷、及びキーラインを使用する位置決めの正確性及び品質を容易に判断することができる。そのため、真正の書類を容易に認証することができる。
【００６８】
キーラインは、第１の証印、第１の背景印刷及び／又は第２の背景印刷とは異なる色又は色合い、透明度、反射率、又はパターンを示すことが好ましい。あるいは、キーラインは、異なる印刷厚さ又は第１の証印又は背景印刷以外のテクスチャを有してもよい。これらの特性は、書類が容易に認証され得るように、ユーザ又は機械読み取り装置によって容易に観察される。材料又は視覚特性における任意の他の適切な変化が使用されてもよい。
【００６９】
好ましくは、キーラインは、基材の第１及び／又は第２の面上に未印刷である。言い換えると、キーラインは、証印受入領域の境界と、基材の少なくとも１つの面上の第１の証印の境界との間に画定される未画定領域である。このような場合には、証印受入領域の境界は、証印受入領域の境界と第１及び／又は第２の背景印刷の境界とが共線的であり、証印受入領域の境界と第１の証印（すなわちキーライン）との間のギャップが未印刷となるように、第１及び／又は第２の背景印刷の境界によって全体的又は部分的に規定されてもよい。この書類の未印刷領域は、印刷された背景印刷と印刷された識別子と強い対照をもたらすことになる。特に、これらの実施形態は、典型的には、書類の印刷された特徴と強い視覚的及び／又は触覚的対照を示すキーラインを備える。加えて、書類が透明又は少なくとも半透明の基材を含む場合、又は第１の証印が、さもなければ不透明な基材内の透明な挿入物と接触して、又はその上に設けられる場合、未印刷のキーラインは第１の証印の周囲に部分的又は全体的に延在する透明な窓を形成してもよい。これらの複雑な特徴は再現が困難であるが、認証者によって容易に観察される。したがって、これらの実施形態に従って製作された書類は、セキュリティが強化される。
【００７０】
代替的に、本方法は、証印受入領域内に印刷を適用することを含んでもよく、好ましくは、証印受入域内の印刷は、証印受入印刷である。証印受入印刷は、証印が適用される印刷、又は、証印が適用される領域を規定する印刷として理解される。特に好ましい実施形態では、証印受入印刷は、証印受入領域の境界と第１の証印との間に設けられてもよく、この場合、証印受入印刷は、基材の片側からの反射又は透過の少なくとも１つにおいてキーライン内で観察されるであろう。証印受入領域内の印刷は、第１及び／又は第２の背景印刷の連続であってもよく、これにより、証印受入領域の境界は、第１及び／又は第２の背景印刷の特性（例えば、色彩、色合い、インク厚さ、表面仕上げなど）の変化によって部分的又は全体的に規定される。
【００７１】
証印受入領域内の印刷は、好ましくは、第１の証印、第１の背景印刷、及び第２の背景印刷（存在する場合）のうちの少なくとも１つと対照をなす。この対照は、好ましくは、認証者によって容易に観察される視覚的コントラストである。例として、証印受入印刷は、他のセキュリティ手段に適用される特徴。印刷に対して異なる色又は色合い、透明度、反射率、又はパターンを呈し得る。証印受入印刷は、第１の証印、第１の背景領域又は第２の背景領域のうちの１つ以上として同じ印刷物に、又は別個の印刷ステップで適用されてもよい。
【００７２】
好ましい実施態様において、本方法は、証印受入領域にマイクロテキスト又はセキュリティパターン（例えば、ギローチ）を適用することをさらに含む。例えば、証印受入領域内の印刷、又は証印受入印刷は、マイクロテキスト又はセキュリティパターンを含むことができる。したがって、証印受入領域とキーライン（第１の証印と証受入領域の境界との間に規定される）との間で、及びそれらが規定される第１の証印及び／又は第１及び／又は第２の背景領域の外観の間で、外観間の強いコントラストが達成される。マイクロテキスト及びセキュリティパターンは、高精度の印刷装置を必要とする複雑な印刷された特徴である。この装置は高価で多くの偽造者には利用できない。したがって、不正書類を製作することは不経済となるかもしれない。
【００７３】
代替的又は付加的に、書類は、キーラインの外観が、第１の証印、第１の背景印刷及び／又は第２の背景印刷と、可視光（およそ４００ｎｍから７００ｎｍの間）では観察できない方法で対照をなすように、配置又は構成されてもよい。例えば、キーラインは、周囲に延びる第１証印と比較されたとき、及び／又は背景印刷と比較したときに、異なる触覚効果を提供することができる。代替的又は付加的に、キーラインは、紫外線スペクトル（約１０〜４００ｎｍの電磁放射）又は赤外線スペクトル（約７００〜１０５０ｎｍの電磁放射）において、第１の証印、第１の背景印刷及び／又は第２の背景印刷とは異なる外観を呈してもよい。加えて、又は代替的に、印刷された特徴の１つ以上には、蛍光又はルミネッセンス材料又はインクを設けることができ、その結果、キーラインは、特定の入射光（例えば、入射ＵＶ光）の下で、隣接する第１の証印及び背景印刷と識別され得る。同様に、印刷された特徴のうちの１つ又は複数は、キーラインが書類に正確に生成されたかどうかを判定するために、温度の変化又は特定の検出器に依存する残りの特徴から検出及び識別され得るサーモクロミック又は磁気材料を設けることができる。
【００７４】
上述の材料及び効果の多くは、「隠れたもの」であり、つまり、周囲の可視光（つまり、約３８０ｎｍ 〜７００ｎｍの電磁波）の下で書類を検査してもすぐには明らかではないことが分かるであろうしたがって、これらの例では、キーラインは、利用者にはすぐには明らかではなく、一般的な複写装置（例えば、３０枚の写真複写又はスキャニング）を使用する偽造者によって複製されうことはできないであろう。したがって、書類類及び一組の書類はより安全である。その代わりに、これらの書類は、第１の証印及び第１及び／又は第２の背景印刷の互いに対する正しい配置を確認するために、さらなる装置又はシステムを必要とする場合がある。
【００７５】
特に好ましい実施態様において、識別子は英数字コード（すなわち、数字及び文字のみを含む識別子）である。より好ましくは、識別子はシリアルコードであってもよい。当該実施形態に於いて、所与の書類に適用される識別子の証印の一つ又は複数は、一組の書類のうちの直前の書類に適用される識別子に対して増加され、又は変更可能である。従って、異なる書類の英数字コード又はシリアルコードを容易に比較することができる（例えば、特定の書類が不正に複製されたか否かを判定するため）。
【００７６】
あるいは、固有の識別子は、シンボル、サイン、又は人間の視聴者に直ちに明らかでないグリフを含み、機械可読であってもよい。例えば、識別名は、バーコード（バーが記号を形成する）、ＱＲコード（登録商標）又は他の適切なコードであってもよい。
【００７７】
好ましい実施形態では、第１及び／又は第２の背景印刷は、均一色の領域、セキュリティパターン、エンボス潜像、回折レリーフ、抗スキャンパターン、ギローチ、グラフィック、写真、アートワーク、シンボル、ポートレート、英数字、又は証印を含む。そのような背景印刷は、書類がそのより広い機能を果たすために必要とされることがある。例えば、パスポートは、その持参者の写真及び持参者を識別する英数字のテキストを含み得る。好ましくは、背景印刷は、証印及びキーラインとの強いコントラストを提供する。
【００７８】
好ましくは、キーラインは、少なくとも２５μｍ、好ましくは少なくとも５０μｍ、より好ましくは少なくとも１００μｍの幅を有する。好ましくは、キーラインは、せいぜい２ｍｍ、好ましくは最大１ｍｍ、より好ましくは最大０．５ｍｍの幅を有する。これらの幅は、証印受入領域の境界と第１の証印との間の距離によって規定される。本発明のキーラインは、実質的に任意の幅を有し得ること、及び特定の一組の書類におけるキーラインの幅は、証印のサイズに基づいて決定され得ることを、当業者は認識するであろう。キーラインがその周囲に延び、書類の典型的な使用法に基づいて（それにより、キーラインは、認証又は通常の使用の間、観察者によって証印の周囲に延びることが容易に観察され得る）。より小さい幅のキーラインは、位置決めすることがより困難であるが（第１の証印及び背景印刷印刷を互いに対して位置決めするときにより高い精度が要求されるため）、観察することはより困難である。幅２５μｍ〜２ｍｍのキーラインを使用した書類に対して良好な結果が得られる可能性がある。これらの例のキーラインは、キーラインが目に見えない人間の観察者（つまり、キーラインが肉眼で見える場合）に見えるようなサイズになっている。したがって、人間の認証者は、付加的な装置や検出装置を必要とせずに、書類が真正であるかどうかを容易に判断することができる。
【００７９】
好ましくは、キーラインは、第１の証印を取り囲むにつれて、全ての点でほぼ一定の幅である。すなわち、証印受入領域の境界は、キーラインがその周りを延びる第１の証印の境界の部分と実質的に平行である。特に好ましい実施形態では、キーラインは、２５％を超えて幅が変動することはなく、１０％以下であることがより好ましい。このような場合、キーラインを検査するときに、第１の証印及び背景印刷の相対的位置決めにおけるいかなる不正確さも容易に見ることができるであろう（キーラインは第１の証印及び背景印刷の並列配置によって規定されるため）。したがって、模倣や偽造書類に期待されるように、製作品質のいかなる低下も、直ちに観察されることになる。このため、書類のセキュリティや一組の書類のセキュリティが高まることになる。
【００８０】
好ましくは、第１の証印、第１の背景印刷及び／又は第２の背景印刷は、好ましくは、インクジェット印刷、レーザ印刷、昇華型方式、又はゼログラフィのいずれかを使用して、デジタル印刷される。存在する場合には、証印受入り領域（証印受入印刷など）内の印刷も好ましくはデジタル印刷され、より好ましくは、インクジェット印刷、レーザ印刷、色素昇華、又はゼログラフィのうちの１つを使用する。デジタル印刷 − 画像を直接書類に、又はその他の媒体に印刷される場合、（凹版、グラビア及び平版印刷のような伝統的なオフセット方法で必要とされるように）版又はドラムを変更することなく、印刷された特徴が一組の書類の直前書類間で変更され得るので、特に魅力的である。したがって、デジタル印刷技術は、上述の方法で製作された一一組の書類の作成に要する時間、材料及びコストを大幅に削減する。それにもかかわらず、任意のデジタル又はオフセット印刷方法（及び対応するシステム及び装置）を含む実質的に任意の印刷方法を使用して、本発明による書類を作成することができる。
【００８１】
好ましくは、第１の背景印刷と識別子は、同一の印刷物（すなわち、同一の印刷ステップ又はプロセス）で適用される。これは、第１の背景印刷及び識別子が基材の同じ面に適用される場合に特に好ましいが、必須ではない。
【００８２】
代替の実施形態では、第２の背景印刷及び識別子は、同じ印刷物（すなわち、同じ印刷ステップ）で適用される。これは、第１の背景印刷及び識別子が基材の同じ面に適用される場合に特に好ましいが、必須ではない。
【００８３】
より広くは、第１の背景印刷及び第１の証印は、別々の印刷物の部分として、又は同じ印刷物に同時に適用されてもよいことが理解されるであろう。同様に、第２の背景印刷及び第１の証印は、別々の印刷物の部分として、又は同じ印刷物に順次適用されてもよい。存在する場合には、証印受入印刷のような、証印受入領域内の任意の印刷を、第１の背景印刷、第２の背景印刷及び識別子のうちの１つ以上と同じ印刷物に適用することができる。
【００８４】
第１の背景印刷と第２の背景印刷は、順次又は同時に適用することができる。同時に、第１及び第２の背景印刷は、実質的に同時に基材の対向する面に接触するか、又はそれより上にある別々の印刷物として適用されるであろうことが理解されるであろう。さらに、これらの特徴が書類に順次適用される場合、どのような順序で適用してもよい。これらのいずれの場合にも、特徴は、シート給紙印刷ステップ又はウェブ給紙印刷ステップの一部として適用することができる。特に好ましい実施形態では、第１及び第２の背景印刷は、実質的に同時に書類基材の対向する面に適用することができる。印刷された特徴が連続的に適用される場合には、第１の証印と、背景ド印刷によって規定される証印受入領域との間、特に、基材の対向する面に適用される証印と背景印刷との間で、必要な位置決めを達成するのが困難であるかもしれない。しかし、このような装置は高価である。こうして不正な書類な複製は経済的でなくなり、偽造者には好まれなくなる。
【００８５】
さらに、本発明者らは、より強い偽造防止効果をもたらすために、書類毎に変化する識別子の証印の２つ以上の周囲に全体的に又は部分的にキーラインを形成するために、２つの別々に印刷された特徴の並列配置を用いて、一組の書類のそれぞれが固有の識別子によって識別されることを認識した。
【００８６】
好ましい実施態様において、各識別子は、各々の証印が境界を規定する２つ以上の証印を含み、
第１の背景印刷は、第１の証印受入領域と第２の証印受入領域の境界の少なくとも一部を規定し、
第１の証印が第１の証印受入領域に、第２の証印が第２の証印受入領域に提供されるように識別子が適用され、
第１の背景印刷及びそれぞれの識別子は、書類が透過及び反射の少なくとも１つで見られるときに、第１の背景印刷と第１及び第２の証印とが並列配置するように適用され、第１及び第２の証印の各々の境界の少なくとも一部の周囲に延びるキーラインが、第１及び第２の証印とそれぞれの証印受入領域との間で規定される。
【００８７】
したがって、第１及び第２の証印の両方が、第１の背景印刷と第１及び第２の証印の間の並置によるキーラインによって全体的又は部分的に取り囲まれて観察される。第１及び第２の証印、又は第１の背景領域（及び第１の背景領域によって規定される第１及び第２の証印受入領域）の相対位置におけるいかなる誤位置決め又は誤りも、観察者（例えば、助けを要しない人間の観察者）にとって直ちに自明である。さらに、そのような書類を作成することの困難性が増大する。したがって、書類の不正複製を容易に検出でき、一組の書類のセキュリティが強化される。
【００８８】
第１及び第２の証印受入領域は、互いに分離して横方向に間隔を空けてももよい。これは、キーラインが第１及び第２の証印の全体の周りに延びる場合（すなわち、第１及び第２の証印がそれぞれキーラインによって完全に囲まれている場合）、特に好ましい。あるいは、第１及び第２の証印受入領域は、第１及び第２の証印の両方が提供される同じ証印受入領域であってもよい。換言すれば、第１の背景印刷は単一の証印受入領域を規定してもよく、識別子は、第１及び第２の証印が単一の証印受入領域に設けられるように適用されてもよい。この場合、キーラインは、第１及び第２の証印のそれぞれの境界の一部と、単一の証印受入領域の境界の異なる部分との間に規定されてもよい。
【００８９】
これらの実施態様において、書類は、上述した追加の特徴のいずれかをさらに含んでもよい。例えば、書類は、第１及び／又は第２の証印を囲むキーラインで観察され得る第２の背景印刷及び／又は少なくとも１つの証印受入印刷を含み得る。 第２の背景印刷及び証印受入印刷は、これらの構成要素を参照して上述した特徴のいずれかを含み得る。
【００９０】
第１及び第２の証印、及び各証印を囲むキーラインは、同様又は異なる外観を呈し得る。例えば、第１の証印は、赤の色合いを呈し、青のキーラインによって全体的又は部分的に取り囲まれてもよいが、第２の証印は、青の色合いを呈し、赤のキーラインによって全体的又は部分的に取り囲まれてもよい。各証印がキーラインによって囲まれている度合いもさまざまである（すなわち、第１の証印スは完全にキーラインによって囲まれているが、第２の証印はキーラインによって部分的に取り囲まれているか、境界が付けられているにすぎない）。
【００９１】
そのような実施形態における証印の各々は、第１の証印を参照して上述した特徴のいずれかを含み得る。複数の証印受入領域の各々は、上述のように、第１の証印が受け入れられる証印受入領域の特徴のいずれかを含み得る。さらに、第１の背景印刷は、上述の先の実施形態を参照して議論された特徴のいずれかを含んでもよい。
【００９２】
それにもかかわらず、第１及び第２の証印及びそれらのそれぞれのキーラインの外観及び特性は、書類内の他の証印に対して変化し得るが、それらは、一組の書類のうちの複数の書類間で一定のままであるべきである。例えば、第１の証印の外観及び第１の証印の回りに延びるそれぞれのキーラインは、第１の証印の特定の値、マーク又は符号にかかわらず、一組の書類のうちの全ての書類において同じであるべきである。
【００９３】
特に好ましい実施態様において、各識別子は複数の証印を含み、各証印は境界を規定し、
第１の背景印刷は複数の証印受入領域の境界の少なくとも一部を規定し、
それぞれの識別子は、各証印が複数の証印受入領域のうちの一つの証印受入領域に設けられるように適用され、
第１の背景印刷及びそれぞれの識別子は、書類が透過及び反射の少なくとも１つで見られるとき、第１の背景印刷及び各証印が並列配置されるように適用され、各証印の境界の少なくとも一部の周囲に延びるキーラインが、各証印とそれが提供される証印受入領域の間で規定される。
【００９４】
本実施形態では、各証印は、証印の境界の周囲に延びるキーラインによって、全体的又は部分的に取り囲まれる。再度、不正確、又はこのような書類の製作における誤りは、キーラインを検査することによって直ちに観察することができ、このような書類の製作の困難性が増大する。従って、書類及び一組の書類のセキュリティが強化される。
【００９５】
証印受入領域は、それぞれ、互いに分離され、横方向に離間されてもよい。これは、キーラインが第１及び第２の証印の全体の周りに延びる場合（すなわち、第１及び第２の証印がそれぞれキーラインによって完全に囲まれている場合）、特に好ましい。あるいは、２つ以上の証印が単一の証印受入領域に設けられてもよいこの場合、キーラインは、単一の証印受入領域内の各証印の境界の一部と、単一証印受入領域の境界の異なる部分との間に規定されてもよい。
【００９６】
書類は、上述した追加の特徴のいずれかをさらに含んでもよい。例えば、書類は、第２の背景印刷及び／又は証印を囲むキーラインに観察され得る少なくとも１つの証印受入印刷を含み得る。第２の背景印刷及び証印受入印刷は、これらコンポーネントを参照して上述した特徴のいずれかを含み得る。
【００９７】
証印と各証印を取り巻くキーラインは、似たような、又は異なる外観を示すことがある。例えば、証印の各々は、未印刷のキーラインによって囲まれてもよい。あるいは、異なるキーライン及び証印キーラインは、異なる色、色合い、透明度、反射率、インクの厚さ又はパターンを呈してもよい。例えば、第１の証印は、赤の色合いを呈し、青のキーラインによって囲まれてもよいが、第２の証印は、青の色合いを呈し、赤のキーラインによって囲まれてもよい。各証印がキーラインによって囲まれている範囲は変化する（すなわち、第１の証印は、キーラインによって完全に囲まれていてもよく、一方、第２の証印は、キーラインによって部分的に囲まれていてもよい）。
【００９８】
各証印は、第１の証印を参照して上述した特徴のいずれかを含んでもよい。複数の証印受入域の各々は、上述のように、第１の証印が受け入れられる証印受入領域の特徴のいずれかを含む。さらに、第１の背景印刷は、上述の先の実施形態を参照して議論された特徴のいずれかを含んでもよい。
【００９９】
それにもかかわらず、証印の外観及び特性並びにそれらのそれぞれのキーラインは、所与の書類内で変化し得るが、所与の証印の特性の外観は、一組の書類のうつの複数の書類間で一定のままであるべきである。言い換えれば、与えられた証印の外観とそれぞれのキーラインは、与えられた証印の特定の値、マーク又は符号（固有識別子の変化に応じて変わり得る）にかかわらず、一組の書類のすべての書類において同じであるべきである。
【０１００】
好ましい実施形態では、書類はセキュリティ書類である。セキュリティ書類とは、価値を確保し、偽造防止又はその他の保護装置を備えた書類である。例えば、セキュリティ書類は、ホログラム、レンチキュラー、モアレ、又は磁気又は蛍光材料などの１つ以上のセキュリティ手段を有することができ、及び／又は、１つ以上のセキュリティ図案であるかもしれない、セキュリティスレッド、ストリップ、又はインサートなどの１つ以上のセキュリティアーティクルを備えることができる。このようなセキュリティ手段又はセキュリティアーティクルがない書類は、通常、セキュリティ書類とはみなされない。セキュリティ書類によって提供される価値は、本質的（例えば紙幣、小切手、クレジットカード又は類似のもの）であってもよく、あるいは持参者（例えば、識別カード、運転免許証、パスポート、及び同様のもの）に対する書類の価値によって規定される。
【０１０１】
特に、書類は紙幣、小切手、識別書類、証明書、共有、スタンプ、ビサ、パスポート、ライセンス、バンクカード、又はＩＤカードであってもよい。これらのセキュリティ書類は、しばしば、その不正複製を作り、及び／又はその中に含まれるデータを変えることを望む偽造者のターゲットになる。それゆえ、上記で論じた識別子、証印、キーラインをもつセキュリティ書類を提供することは、書類のセキュリティに明確な利点をもたらす。
【０１０２】
本発明のさらなる態様によれば、一組の書類のうちの書類を独自に識別するそれぞれの識別子を除いて、内容が同一である一組の書類を製作する方法が提供され、各識別子は、少なくとも第１の証印、又は境界を規定する各証印を備え、
各書類の製作方法は、
基材を提供するステップと、
基材上に第１の背景印刷を適用するステップであって、第１の背景印刷は、証印受入領域の境界の少なくとも一部を規定するステップと、
第１の証印が証印受入領域に提供されるように基材上のそれぞれの識別子を適用するステップと、
第１の背景印刷びそれぞれの識別子は、書類が透過及び反射の少なくとも１つで見られるとき、第１の背景印刷及び第１の証印が並列配置されるように適用され、第１の証印の境界の少なくとも一部分の回りを延びるキーラインが、第１の証印と証印受入領域の境界との間で規定される。
【０１０３】
したがって、本発明のこの態様は、一組の書類を製作することを目的とする。これらの書類の各々は、上述の方法で製作される。したがって、一組の書類及び一組の書類のうちの各書類は、全体として、本発明の先の態様を参照して上述した利点を提供する。
【０１０４】
本発明のさらなる態様によれば、上述の書類の製作方法に従って製作された書類が提供される。これらの書類は、セキュリティを強化し、偽造者が模倣したり修正したりすることがより困難にする。
【０１０５】
本発明のさらなる態様によれば、各書類が上述の一組の書類を製作する方法に基づいて製作された一組の書類が提供される。この一組の書類は、セキュリティを向上させ、このような書類の不正な複製者が直面する困難を実質的に増大させる。
【０１０６】
本発明のさらなる態様によれば、一組の書類のうちのの各書類を独自に識別するそれぞれの識別子を除き、内容が同一である一組の書類が提供され、各識別子は少なくとも第１の証印、又は境界を規定する各証印を含み、
各書類は、
基材と、
基材上に設けられた第１の背景印刷であって、第１の背景印刷は証印受入領域の境界の少なくとも一部を規定する、第１の背景印刷と、を有し、
各証印は、第１の証印が証印受入領域に設けられるように基材上に設けられ、
第１の背景印刷及びそれぞれの識別子は、書類が透過及び反射の少なくとも１つで見られるとき、第１の背景印刷及び第１の証印が並列配置されるように適用され、第１の証印の境界の少なくとも一部の周囲に延びるキーラインが第１の証印と証印受入領域の境界との間で規定される。
【図面の簡単な説明】
【０１０７】
【図１ａ】図１ａは、固有の識別子、背景印刷及びキーラインのみが図示されている、本発明による書類の面の図形的表現を示す図である。
【図１ｂ】図１ｂは、図１ａの書類の面の一部をより詳細に示す図である。
【図１ｃ】図１ｃは、図１ａ及び１ｂの書類の面の一部をさらに詳細に示す図である。
【図２ａ−２ｌ】図２ａ〜図２ｌのそれぞれは、Ｘ−Ｘ線に沿って図１に示された書類を通って切断された、本発明による代替断面を示す図である。
【図３】図３は、固有の識別子、背景印刷及びキーラインのみが図示されている本発明による、別の書類の面の図形的表現を示す図である。
【図４ａ−４ｅ】図４ａ〜４ｅのそれぞれは、線Ｙ−Ｙに沿って図３に示された書類を通って切断された、本発明による代替断面図である。
【図５】図５は、固有の識別子、背景印刷及びキーラインのみが図示される、本発明によるさらなる書類の面の図形的表現を示す図である。
【図６ａ−６ｂ】図６ａ及び図６ｂは、それぞれ、第１の印刷物の一部及び本発明による書類を製作するために使用され得る第２の印刷物の一部を示す図である。
【図６ｃ】図６ｃは透過して見られる本書類の面の一部を示す図である。
【図７ａ−７ｂ】図７ａ及び図７ｂは、それぞれ、第１の印刷物の一部及び本発明による書類を生成するために使用され得る第２の印刷物の一部を示す図である。
【図７ｃ】図７ｃは、透過して見られる本書類の面の一部を示す図である。
【図８ａ−８ｂ】図８ａ及び図８ｂは、それぞれ、第１の印刷物の一部及び本発明による書類を生成するために使用され得る第２の印刷物の一部を示す図である。
【図８ｃ】図８ｃは透過して見られる本書類の面の一部を示す図である。
【図９ａ】図９ａは本発明による書類を作成するために使用され得る第１の印刷物の一部を示す図である。
【図９ｂ】図９ｂは書類の平面に対して垂直な角度からの透過して見られるようなこの書類の面の一部を示す図である。
【図９ｃ】図９ｃは書類の平面に対して斜めから透過して見られる本書類の面の一部を示す図である。
【図１０ａ−１０ｂ】図１０ａ及び１０ｂは上述の書類を製作するためのウェブ給紙印刷システムを概略的に示す図である。
【図１１ａ−１１ｃ】図１１ａ、１１ｂ及び１１ｃのそれぞれは、上述の書類を製作するための、さらなるウェブ給紙印刷システムを概略的に示す図である。
【発明を実施するための形態】
【０１０８】
図１ａは、本発明による背景印刷１２及び識別子を備えた書類１０を示す。書類１０は、識別子を除いて内容量が同一である一組の書類１０の一部であり、それは示された特定の書類１０に固有である。
【０１０９】
識別子は、横方向に間隔を置いた５つの証印１４を含む。これらの証印１４は英数字であり、図から分かるように、「０１２３Ｚ」と読める図示された書類に適用された識別子である。
【０１１０】
証印１４の各々は、それぞれの証印１４の全境界の周囲に延びるキーライン１６によって囲まれている。キーライン１６は、第１の背景印刷１２から証印１４を分離し、背景印刷１２と証印１４との間に並んでいるように見える。注目すべきことに、証印「０」は内部空隙を有し、この内部空隙の境界の周囲にキーライン１６が延びる。しかし、これは必須ではなく、代替の書類では、証印１４内の内部空隙にキーライン１６を設けなくてもよい。
【０１１１】
書類１０の部分は、図１ｂにさらに詳細に示されており、図１ｃにさらに詳しく示されている。図示のように、背景印刷１２は、５つの証印１４に対応する、横方向に間隔を置いた５つの証印受入領域１１の境界１１ａを画定する。各証印１４は、対応する証印受入領域１１内に設けられる。図から分かるように、各証印受入領域１１の境界１１ａは、それぞれの証印１４の境界１４ａと実質的に平行であり、それぞれの証印受入領域１１の境界１１ａとそれぞれの証印１４の境界１４ａとが一緒になって、それぞれの証印１４の境界１４ａ全体の周囲に延びるほぼ一定の厚さのキーライン１６（すなわち、境界線又は等高線）を画定する。したがって、キーライン１６は、第１の背景印刷と証印１４との間の並置又はコントラストを介して形成される。
【０１１２】
図１ａ、図１ｂ及び図１ｃには、背景印刷１２の詳細は示されていない。しかしながら、実質的に任意の画像、シンボル、テキスト又はグラフィックを背景印刷１２の一部として提供して、書類１０がその機能の実行を可能にすることができる。例えば、書類１０が紙幣であった場合、背景印刷１０は紙幣の名称、紙幣を発行する紙幣又は本体の名称、及び種々のさらなるセキュリティ装置を含むことができる。図に示すように、背景印刷はハッチングされており、これらのハッチングは書類の全範囲にわたって広がることはない。しかし、容易に理解されるように、背景印刷１２は、上述したように証印受入領域１１を画定する限り、書類１０の横方向領域の実質的に任意の割合にわたって延在することができる。さらに、図１ａ、図１ｂ及び図１ｃに示す背景印刷１２のような書類の背景印刷は、複数の印刷物又は互いに重なる印刷製品から形成されてもよいことが理解されるであろう。
【０１１３】
図１に示す一組の書類１０では、各書類１０に固有の識別子が付与される。従って、識別子を形成する少なくとも１つの証印１４は、一組の書類内の直前書類１０間で変更されることになる。例えば、図１に示された書類１０への連続した、又は直前の書類は、「０１２４Ｚ」、「０１２３Ａ」と読める識別子、又は他の固有の識別子を提供することができる。理解されるように、一組の書類中の任意の与えられた書類１０に適用される識別子中の証印１４の境界は、一組の書類中の残りの書類１０に適用される識別子中の証印１４の境界とは異なるであろう。
【０１１４】
少なくとも１つの証印１４の境界１４ａは、一組の書類中の直前書類１０の間で変化するので、対応する証印受入領域１１の境界１１ａ又は境界１１ａも、証印１４の境界１４ａに正確に追従するキーライン１６を維持するために、直線書類１０の間で変化しなければならない。従って、書類１０の内容は、個々の書類１０間で変化しないが、証印受入領域１１の範囲は変化し、第１の背景印刷１２（証印受入領域１１の境界１１ａを規定する）書類間で変化しなければならない。従って、一組の書類中での書類１０を再製作することの困難性が増大する。
【０１１５】
図１ａ、１ｂ、１ｃに示される証印１４の全ては、代替的な実施形態においてキーライン１６を備えているが、証印受入領域１１及びキーライン１６は、識別子の単一の証印１４の周囲（又は識別子の単一の証印１４の一部の周囲のみ）にのみ画定されてもよい。このような書類１０では、キーライン１６を設けた証印１４は変更される（すなわちキーライン１６を設けた証印１４の境界が変化する）限り、背景印刷１２を変える必要はない。
【０１１６】
例えば、５つの数字識別子の最初の証印１４（例えば、図１に示された識別子「０１２３Ｚ」の「０」）のみが証印受入領域１１に囲まれている場合（すなわち、単一キーライン１６は、証印「０」と背景印刷１２の並置によって、証印「０」の周囲で規定される）、最初の証印１４が変化するとき、背景印刷１２と、背景印刷１２によって定義される証印受入領域１１の境界１１ａを変化させることのみが必要である（例えば、背景印刷１２は「０１２３Ｚ」から「１１２３Ｚ」に変更されるが、「０１２３Ｚ」から「０１２３Ａ」には変更されない）。
【０１１７】
それにもかかわらず、キーライン１６が識別子内で単一の証印１４又は証印１４のサブセットのみに提供されたとしても、印刷されなければならない背景印刷１２の数は、キーライン１６なしで一組の書類１０に対して増加される。さらに、これらの実施形態では、キーライン１６を正確に規定するために背景印刷１２及び各証印受取り領域１１を証印１４に正確に位置決めする要求が依然として存在する。これらの要求の各々は、偽造品についての一組の書類１０を模倣することの困難性を増大させる。
【０１１８】
図１に示される書類１０（上述のように、証印１４と第１の背景印刷１２の並置によって形成されるキーライン１６を含む）は、多種多様な書類構造によって作成されてもよい。これらの構造の例は、（図１ａに示されるように）線Ｘ−Ｘに沿った書類１０の代替断面を示す図２ａ〜２ｌを参照して論じられる。
【０１１９】
図２ａ〜図２ｌにおいて、書類１０は、それぞれ、対向する第１及び第２の面１８ａ、１８ｂ、基材１８の第１の面１８ａに適用される第１の背景印刷１２、その境界１１ａが第１の背景印刷１２によって規定される証印受入領域１１、及び図１ａ及び図１ｂに示すような数字「１」である証印１４を備える基材１８を含む。
【０１２０】
第１の背景印刷１２、証印受入領域１１及び証印１４の横方向の広がり及び相対的な横方向の位置決めは、図２ａ〜図２ｌの各断面において同一である。しかしながら、書類１０の異なる外観及び効果は、さらなる特徴を設けることによって達成することができ、且つ、後述するように、基材１８に対する特徴の位置（すなわち、基材１８及び書類１０の表面１８ａ、１８ｂに垂直な方向、及び基材１８及び書類１０の表面１８ａ、１８ｂに平行な横方向に垂直な方向）への変化によって達成することができる。
【０１２１】
図２ａは、書類１０の一部を断面で示す。書類１０は、対向する第１及び第２の面１８ａ、１８ｂを有する基材１８を備える。基材１８の第１の面１８ａ上には、背景印刷１２と、図１ａ及び１ｂに示す識別子「０１２３Ｚ」の証印「１」とが設けられている。背景印刷１２の境界は、証印受入領域１１の境界１１ａを規定する。このように、背景印刷１２の境界と証印受入領域の境界１１ａは対応し、定義上、同一の横方向位置を有する。証印１４は、証印受入領域１１が証印１４を完全に囲むように、証印受入領域１１内に設けられる（すなわち、その中に受容される、その中に配置される）。証印受入領域は、背景印刷１２の境界と基材１８の両面１８ａ，１８ｂにある証印受入領域１１との間で印刷されていない。
【０１２２】
従って、基材１８の第１の面１８ａから見ると、証印１４は、第１の背景印刷１２に対して見られ（すなわち観察され）、その境界の周囲に延びる未印刷のキーライン１６によって囲まれる。印刷されていないキーライン１６は、印刷された証印１４及び背景印刷１２と容易に視覚的に区別することができ、特に証印１４及び背景印刷１２に着色インク又は少なくとも半不透明インクが印刷されている場合にそうである。基材１８が少なくとも半透明である場合、背景印刷１２、証印１４及びキーライン１６は、基材１８の第２の面からの透過において観察されてもよく、基材が実質的に透明である場合には、キーライン１６は、書類１０を通過する透明な窓によって画定される。
【０１２３】
キーライン１６は証印１４と背景印刷１２からを容易に区別できるので、背景印刷１２と証印１４との間の位置の誤り（偽造プロセスで導入される可能性があるようである）は容易に観察されるであろう。
【０１２４】
図２ａの書類１０は、背景印刷１２と証印１４とを別々のステップで印刷することによって製作することができる、すなわち、背景印刷１２と証印１４とが別々の第１及び第２の印刷物で順次適用される。代替的に、背景印刷１２及び証印１４は、１回の複合印刷物で同時に適用可能である。
【０１２５】
図２ｂは、図１の書類１０のための代替構造を示し、それは、再び、図１に示されるように、証印１４の周囲に延びる（すなわち、周囲の）キーライン１６を示す。
【０１２６】
図２ａとは異なり、図２ｂのキーライン１６は未印刷ではなく、代わりに、書類１０には、基材１８の第１の面１８ａに証印受入印刷２０が設けられている。証印受入印刷２０は、証印１４の境界１４ａと証印受入領域１１ａ（すなわち、証印１４と背景印刷１２との間）の境界との間に設けられ、従って、証印１４の周囲に延びるキーライン１６を形成する。換言すれば、証印受入印刷２０は、証印１４が位置していない証印受入領域１１に提供され、印刷されたキーライン１６を形成するようになっている。したがって、キーライン１６は、証印受入印刷２０の外観を呈することになる。証印受入印刷２０は、例えば、色、色合い、透明度、反射率、パターン、テクスチャ、厚さ及び／又は他の観察可能な特性によって、証印１４及び背景印刷１２と外観上異なっていてもよい。したがって、印刷されたキーライン１６は、証印１４及び背景印刷１２と容易に比較することができる。
【０１２７】
この例では、証印受入領域１１の境界１１ａは、証印受入領域１１と第１の背景印刷１２との間のインク又は他の特性の変化によって規定され得ること、及び／又は、証印１４の境界１４ａは、証印１４と証印受入領域１１との間のインク又は他の特性の変化によって規定されてもよい。
【０１２８】
例えば、証印受入印刷２０は、背景印刷１２及び／又は証印１４と共に同じ印刷物で適用することができ、例えば、３つの構成要素は、基材１８の第１の面１８ａにわたって適用される連続印刷層の異なる部分であってもよく、その各部分は異なるインク組成を有する。あるいは、これらの特徴は、別々の印刷物において適用することができる。
【０１２９】
図２ｃは、基材１８の第１の面１８ａに設けられた背景印刷１２及び証印１４を含む書類１０を示す。背景印刷１２は、証印受入領域１１を画定する。 証印受入印刷２０は、基材１８の第１の面１８ａ上の証印受入領域１１内に設けられ、証印受入領域１１の全体にわたって延在する。証印１４は、背景印刷１２によって画定される証印受入領域１１内で横方向に、また、基材１８に対して証印受入印刷２０上に（すなわち、印刷されたキーライン領域２０が証印１４と基材１８との間に設けられるように）位置決めされる。
【０１３０】
書類１０の証印１４が実質的に不透明（例えば、可視スペクトルの光に対して不透明）であると仮定すると、基材１８の第１の面１８ａから見ると、図２ｃの書類１０は、図２ｂの書類１０と同様の外観を示す。すなわち、実質的に不透明な証印１４は、印刷されたキーライン１６（証印１４と証印受入領域１１の境界との間に横方向に配置された証印受入印刷２０の部分によって形成される）によって囲まれることが観察されるであろう。（図１ａ、図１ｂ及び図１ｃに示すように、証印１４の境界に従う）証印１４及びキーライン１６は、背景印刷１２に対して見えるであろう。加えて、図２ｃの証印１４が少なくとも半透明である場合、印刷されたキーライン領域２０は、基材の第１の面１８ａから見たときに、証印１４を通して観察され得る。
【０１３１】
証印受入領域２０と基材１８が少なくとも半透明の組み合わせである場合、基材１８の第２の面１８ａから、証印１４は、証印受入印刷を透過して見える。あるいは、証印１４は、証印受入印刷２０と基材１８とが実質的に不透明である場合、基材１８の第２の面１８ｂからは見えないことがある。
【０１３２】
図２ｄは、証印１４の周囲に延在するキーライン１６を示す書類１０の更なる例を示す。書類１０は、対向する第１及び第２の面１８ａ、１８ｂを有する基材１８を備え、それは少なくとも証印受入領域１１の上に少なくとも半透明である。基材１８の第１の面１８ａにおいて、第１の背景印刷１２が設けられ、証印１４は基材１８の反対側の第２の面１８ｂに設けられている。
【０１３３】
背景印刷１２の境界は、図示のように、基材の第１の面１８ａ上に印刷されていない証印受入領域１１の境界１１ａを画定する。証印１４は、第１の背景印刷１２によって規定されるように、証印受入領域１１内で横方向（すなわち、書類１０の平面の方向）に位置する。したがって、未印刷のキーライン１６は、第１背景印刷１２と証印１４の並置により証印１４の周囲に規定され、証印の境界１４ａと証印受け領域１１の境界との間にキーライン１６が延びる。
【０１３４】
少なくとも半透明基材１８のいずれかの面１８ａ、１８ｂから見ると、証印１４は背景印刷１２に対して見え、その結果、背景印刷１２及び証印１４は、未印刷で実質的に透明なキーライン１６によって分離される。この印刷されていないキーライン１６は、基材の外観を呈し、基材が実質的に透明である場合、透明な窓を形成し、書類１０を迅速かつ容易に認証できるように、人間又は機械の観察者が容易に観察することができるようにする。好ましくは、証印１４及び背景印刷１２は、未印刷のキーライン１６が、追加の設備を必要とせずに（ただし、これは必須ではない）人間が見ることができるように、肉眼又は不注意の人間の目に見えるように構成される。
【０１３５】
証印１４及び背景印刷１２は、基材１８の対向する面１８ａ、１８ｂに対して別々の印刷として適用することができる。  これらの印刷物は、ウェブ給紙又はシート給紙処理の一部として、同時に又は順次適用されてもよい。
【０１３６】
図２ｅ〜２ｈは、基材１８の２つの対向する面１８ａ、１８ｂにそれぞれ適用される２つの背景印刷１２、２２を含む書類１０をさらに示す。これらの書類１０は、２つの背景印刷が異なる外観を提供する場合、基材１８のいずれかの面１８ａ、１８ｂから見ると、異なる外観を示すことができる。これらの効果は、基材１８が、少なくとも証印受入領域１１を横切って透明又は半透明である場合に、証印１４が基材１８のいずれかの面１８ａ、１８ｂから観察され得ことが、特に有利である。特に、基材１８は、その全幅にわたって実質的に透明であることが好ましい。
【０１３７】
証印１４は、証印受入領域１１内に横方向（すなわち、書類１０の平面内）に配置されるように、基材１８の第２の面１８ｂに設けられる。従って、第１及び第２の背景印刷１２，２２の並置が、証印１４の境界１４ａと証印受入領域１１の境界１１ａの間に延びる未印刷のキーライン１６を画定するように、証印１４は、完全に証印受入領域１１内に設けられる。
【０１３８】
証印１４は、証印受入領域１１内に横方向（すなわち、書類１０の平面内）に配置されるように、基材１８の第２の面１８ｂに設けられる。従って、第１及び第２の背景印刷１２，２２の並置が、証印１４の境界１４ａと証印受入領域１１の境界１１ａの間に延びる未印刷のキーライン１６を画定するように、証印１４は、完全に証印受入領域１１内に設けられる。
【０１３９】
基材１８が少なくとも証印受入領域１１を横切って実質的に透明である場合（第１及び第２の背景印刷１２、２２によって画定されるように）、証印１４は、基材１８の各面１８ａ、１８ｂから見たときに、未印刷のキーライン１６によって囲まれて観察されるであろう。具体的には、基材の第１の面１８ａから、証印１４と第１の背景印刷１２とが、視覚的に対照をなす未印刷（及びそれによって実質的に透明な）なキーライン１６によって分離して見える。対照的に、基材１８ｂの第２の面から見ると、証印１４と第２の背景印刷２２とは、視覚的に対照的な未印刷（及び実質的に透明である）キーライン１６によって分離されて観察されるであろう。
【０１４０】
あるいは、基材１８が、実質的に不透明な材料（例えば紙）で形成されている場合、又は実質的に不透明であるように１つ以上の不透明層（図示せず）で被覆されている場合、証印１４は、反射して基材１８の第１の面１８ａから見えなくなる。
【０１４１】
この場合、基材１８の第２の面１８ｂから、証印１４は、第２の背景印刷２２に対する未印刷基材１８の外観（基材１８の表面に適用される任意の層を含む）を示すキーライン１６によって囲まれる。対照的に、基材１８の第１の面１８ａから、反射において、第１の背景印刷２２が未印刷証印受入領域１１と共に観察される。
【０１４２】
図２ｅの書類１０の製作中に、第１の背景印刷は、第１の印刷物で基材１８の第１の面１８ａに適用されてもよく、一方、証印１４及び第２の背景印刷２２は、第２の印刷物で基材１８の第２の面１８ｂに適用されてもよい。
【０１４３】
図２ｆは、２つの背景印刷１２、２２を有する書類１０を示しており、第１の背景印刷１２のみが証印受入領域１１の境界１１ａを規定している。具体的には、第１の背景印刷１２の境界は、証印受入領域１１の境界１１ａを規定する。対照的に、第２の背景印刷２２は、中断することなく、基材１８の第２の面１８ｂを横切って連続的に延在する。証印１４は、第１の背景印刷１２により規定されるように、証印受入領域１１内の基材１８の第１の面１８ａ上に設けられる。
【０１４４】
書類１０を基材１８の第１の面１８ａから見ると、証印１４と第１の背景印刷１２とがキーライン１６によって分離されて観察される（これは、図１ａ、１ｂ及び１ｃに示されるように、証印１４の輪郭に従う）。キーライン１６の外観は、基材１８の不透明度に応じて変化するであろう。基材１８が透明又は半透明である場合、観察者は、基材１８を通してキーライン１６内の第２の背景印刷２２を観察することができる。この効果は、書類１０を透過して見る場合に特に強くなる。代替的に、基材１８が実質的に不透明である場合、観察者は、キーライン１６内で基材１８を見ることになる。
【０１４５】
基材１８と第２の背景印刷２２とが組み合わせで実質的に不透明である場合には、証印１４は、基材の第２の面１８ｂからは見えないであろう。そうでなければ、証印１４は基材１８を通して観察され、第２の背景印刷２２は、基材の第２の面１８ｂから観察され得る。
【０１４６】
図２ｇは、キーライン１６が基材１８の第１の面１８ａに印刷されている、図２ｅに示されている書類１０の変形例を示している。
【０１４７】
基材１８の第１の面１８ａ上において、第１の背景印刷１２と、この第１の背景印刷１２によって規定される証印受入領域１１内での第１の証印受入印刷２０が設けられている。証印１４は、基材１８の第２の面１８ｂ上の証印受入領域１１内に横方向に設けられている。証印受入領域は、基材１８の第２の面１８ｂ上に未印刷である。しかしながら、図２ｅとは対照的に、図２ｆの書類１０は、証印受入領域１１の境界１１ａと証印１４の境界１４ａとの間の基材１８の第１の面１８ａに適用される証印受入印刷２０を更に含む。
【０１４８】
基材１８が実質的に透明であると仮定すると、図２ｇに示される書類１０は、基材１８の第１の面１８ａから見た場合、図２ｂの書類１０と同様の外観を呈することになる。具体的には、書類１０は、（証印受入印刷２０に外観を示す）印刷されたキーライン１６によって囲まれた証印１４を示し、第１の背景印刷１２に対して見られる。対照的に、基材１８の第２の面１８ｂ（すなわち、裏面）から見ると、第２の背景印刷２２に対して印刷されたキーライン１６によって囲まれた証印１４が見えるであろう。
【０１４９】
したがって、書類１０は、基材１８のいずれの面１８ａ、１８ｂからも異なる外観を呈することができる。したがって、２つの面の外観は、背景印刷１２、２２が実質的に不透明であると仮定して、切り離されてもよい。一方、第１の背景印刷１２及び第２の背景印刷２２は、少なくとも半透明である場合、背景印刷１２、２２は基材１８のいずれかの面１８ａ、１８ｂから、透過して互いに重ね合わされて見える。
【０１５０】
この例は、基材１８の対向側で証印受入印刷２０内で規定される横方向領域内に証印１４を正確に位置合わせする必要があるため、偽造が非常に困難である。
【０１５１】
図２ｈは、図２ｅに示す構造のさらなる変形例である。しかし、この場合、図２ｈの書類１０は、図２ｃの書類１０と同様の外観を示す。
【０１５２】
証印１４、第１の背景印刷１２及び第２の背景印刷２２の長さ及び位置は、図２ｅ及び図２ｇのものと同一である。書類１０は、証印受入領域１１内の基材の第１の面１８ａ（図２ｇのように）に設けられた付加的な印刷２０を更に含む。 付加的な印刷２０は、証印受入領域１１（その境界１１ａは、背景印刷１２、２２によって規定される）を横切って完全かつ連続的に延在する。
【０１５３】
証印受入領域１１で追加の印刷２０と基材１８とが少なくとも組み合わせて半透明である場合、基材１８の第１の面１８ａから、証印受入領域１１内の付加的な印刷２０を通して証印１４を観察することができる。この状況では、証印１４は、証印受入印刷２０を通して観察され、それらが重ね合わされるように見える。加えて、証印１４は、印刷２０の外観を示す印刷されたキーライン１６によって第１の背景印刷１２から分離され、証印１４と第１の背景印刷１２との間に横方向に配置されるであろう。証印受入領域１１及び基材１８内の印刷２０が、組み合わせにおいて実質的に不透明である場合、証印１４は、基材１８の第１の面１８ａからは観察されないであろう。
【０１５４】
証印受入印刷２０及び基材１８の不透明度にかかわらず、基材１８の第２の面１８ｂから、図２ｈの書類１０は、図２ｇの書類１０と同様の外観を示すであろう−証印１４及び第２の背景印刷２２は、証印１４を囲み、証印受入領域１１内に印刷２０の外観を示すキーライン１６によって分離されて観察されるであろう
【０１５５】
図２ｉ〜図２ｌは、キーライン１６で囲まれた証印１４を示す書類１０の更なる例を示す。しかしながら、各々の場合には、証印１４は２つの部分１４ｂ，１４ｃに分割される。証印１４の第１の部分１４ｂは、基材１８の第１の面１８ａに設けられ、一方、第２の部分１４ｃは、基材１８の第２の面１８ｂに設けられている。
【０１５６】
それぞれの場合、基材１８は、少なくとも証印受入領域１１を横切って実質的に視覚的に透明であり、２つの部分１４ｂ及び１４ｃなどは、透過において書類１０の両側から組み合わせて見ることができる。従って、理解されるように、図２ｉ及び図２ｊの書類１０は、透過で見た場合にそれぞれ図２ａ及び図２ｅに示される書類１０に類似して現れ、図２ｋ及び図２ｌの書類１０は、（図２ａ、図２ｅ、図２ｂ及び図２ｇの書類１０が実質的に透明な基材を有すると仮定して）透過で見ると、それぞれ図２ｂ及び図２ｇに示す書類１０と同様に見える。
【０１５７】
しかしながら、図２ｉ、２ｊ、２ｋ及び２ｌの文献１０は、反射において見たときに、基材１８のそれぞれの面１８ａ、１８ｂに適用された証印１４の部分１４ｂ、１４ｃのみが観察され得るので、それぞれ、文献２ａ、２ｅ、２ｂ及び２ｇに対して異なる外観を示す可能性がある（基材１８の反射率に依存して）。
【０１５８】
図２ｉ及び図２ｊにおいて、キーライン１６は未印刷であり、実質的に透明である。図２ｋ及び図２ｌにおいて、書類１０は、証印１４の境界１４ａと証印受入領域１１の境界１１ａとの間に延びる証印受入印刷２０を有している。この場合、キーライン１６は、従って、証印受入印刷２０の外観を示し、証印受入印刷２０の特性に応じて透明であっても不透明であってもよい。
【０１５９】
図２ｉ、２ｊ、２ｈ及び２ｌの書類１０は、図２ａ及び２ｅの書類１０よりも許可されていない者が複製することを著しく困難にする。なぜなら、基材１８の対向する面に設けられている証印１４の異なる部分１４ｂ、１４ｃを互いに正確に位置決めすることが非常に困難であるためである（つまり、それらは別々の印刷物で適用される）。したがって、これらの書類１０は安全性を高める。
【０１６０】
図２ａ〜図２ｌを参照して上述した書類１０のいずれかは、書類１０の全体又は一部を横切って延在し、基材１８のいずれか又は両方の面１８ａ、１８ｂ上でにある複数のさらなる製作物又は層を備えることができる。これらは、追加の印刷物、不透明化層保護層、接着層又は帯電防止導電層を含んでもよい。これらの製作物及び層は、基材１８内に設けられてもよく、又は、基材１８上に適用又は印刷されて、背景印刷１２、２２、証印１４及び印刷されたキーライン領域２０のうちの１つ又は複数を基材に対して覆うか、又はその下に位置させる。
【０１６１】
要約すると、識別子の証印１４がキーライン１６によって全体が囲まれている識別子を有する書類１０は、セキュリティを高めることを提供することが理解されるであろう。しかし、これは必須ではなく、さらなる書類においては、キーラインは証印の一部の周囲にのみ延びるように設けられてもよい。そのような書類の例を図３、図４及び図５に示す。
【０１６２】
図１のように、図３の書類３０の第１の背景印刷３２は、各証印３４がそれぞれの証印受入領域に設けられるように、証印受入領域の対応する数を規定していない。むしろ、背景印刷３２は、単一の証印受入領域３１の境界３１ａを規定し、そこに全ての証印が設けられている。図示のように、証印受入領域３１は、書類３０の全幅にわたって延在し、証印１４は、証印受入領域３１内に完全に設けられている。図から分かるように、証印受入領域３１は、第１の背景印刷３２によって画定される境界３１ａと、書類３０の外部境界との間に延在する。
【０１６３】
第１の背景印刷３２によって画定される証印受入領域３１の境界３１ａの部分は、各証印３４の境界３４ａの上面又は上面（ほぼ上半分）の周囲に延在する。従って、各証印３４の境界の上部及び証印受入領域３１の境界３１ａの周囲に延在するキーライン３６は、第１の背景印刷３２及び証印３４の並置によって、形成される。
【０１６４】
第１の背景印刷３２第１によって画定される証印受入領域３１の境界３１ａは、証印３４の境界とほぼ平行である。従って、キーライン３６は、各証印３４の側部分の周りの全ての点で実質的に同じ幅のものである。加えて、キーライン３６の幅は、全ての証印３４の周囲で実質的に同じ幅である。この外観は、背景印刷３２、証印３４及び証印受入領域３１の間の高精度の位置決め（すなわち、相対的位置決め）を必要とする。
【０１６５】
各証印３４の約半分は、キーライン３６によって囲まれている−すなわち、キーライン３６は、各証印３４の境界の約５０％の長さにわたって延在する（ただし、特定の図は各証印３４の形状及び分布に依存して変化するであろう）。
【０１６６】
背景印刷３２の外観の詳細は、図３に図示されていない。しかしながら、実質的に任意の画像、シンボル、テキスト又はグラフィックスは、書類１０がその機能を実行することを可能にするために、背景印刷３２の一部として提供されてもよい。
【０１６７】
図１を参照して説明したように、固有の識別子は、一組の書類中の複数の書類３０の間で変化するので、識別子を形成する証印３４は変化することになり、したがって、証印３４の境界３４ａも書類３０の間で変化することになる。したがって、図３に示すように、証印３４を囲むキーライン３６を正しく製作するためには、証印３４及び背景印刷ト３２（証印受入領域３１を規定する）がキーラインを達成するために書類３０間で変化させる必要がある。この変化は、不正な製作者が、固有に識別された多数の書類を製作するための従来の印刷技術を使用して達成することが容易ではない。
【０１６８】
この外観を生成するために使用され得るＹ−Ｙ線に沿った書類３０の例示的な断面が図４ａ〜４ｅを参照して以下で説明される。
【０１６９】
各断面において、証印３４（図３に示されるように、「１」）、第１の背景印刷３２、証印受入領域３１及びキーライン３６（証印３４と第１の背景印刷３２との並列によって定義されるように）は、書類３０の平面内で同じ範囲（すなわち、同じ横方向の範囲）を有する。
【０１７０】
図４ａの書類３０は、図２ａの書類１０に構造及び製作方法において大ほぼ対応している。第１の背景印刷３２及び証印３４は、基材３８の第１の面３８ａ上に設けられている。図示のように、第１の背景印刷３２と証印３４とを分離する証印受入領域３１の部分は、基材１８の両面１８ａ、１８ｂで未印刷であり、証印受入領域３１の境界３１ａの一部は、第１の背景印刷３２の境界によって画定される（したがって一致する）。証印受入領域３１の残りの境界は、書類３０の境界又は外側の広がりによって規定される。証印３４は、キーライン３６が証印３４の境界３４ａと証印受入領域３１の境界３１ａ（第１の背景印刷３２によって規定される）との間に規定されるように、証印受入領域３１内に設けられる。背景印刷３２ｂ及び証印１４は、別々の印刷物、単一の印刷物又は任意の他の適当な方法で適用することができる。
【０１７１】
図４ｂは、線Ｙ−Ｙに沿った断面における図３の外観を有する書類３０のための代替構造を示す。この書類３０は、図２ｂに示す書類１０と同様の構造を共有している。図４ａに示される書類３０の特徴に加えて、本書類３０は、更に、証印受入印刷４０がキーライン３６を充填して横切って延在するように、証印の境界３４ａの上部と証印受入領域３１の境界３１ａとの間に設けられた証印受入印刷４０（図３には示されていない）を含む。
【０１７２】
したがって、書類３０が観察されるときには、第１の背景印刷３２と、証印３４と、キーライン３６と、証印３４の上部分の周囲に延在する証印受入印刷４０と、証印３４の下面を取り囲む未印刷基材３８との特性の差異を比較することができる。これらの各領域の外観及び印刷された特徴を再製作することは、偽造者にとって容易ではなく、外観（例えば、色、色合い、透明度、反射率、パターン、テクスチャ及び／又は他の観察可能な特性）における予期せぬ変動は、認証者によって容易に識別され得る。このため書類３０の安全性が高まる。
【０１７３】
図４ｃは、図４ｂに示される構造の変形例を示しており、ここで、証印受入印刷４０（図３には示されていない）は、証印３４の境界３４ａの周りの各点において実質的に同じ幅を有する証印３４の境界３４ａ全体の周りに延在している。
【０１７４】
従って、証印受入印刷４０の外観を有する印刷されたキーライン３６が、証印３４の境界３４ａの全体の周りに延在することが理解されるであろう。キーライン３６は証印３４の境界３４ａと証印受入印刷４０の外部境界との間に規定する。証印の上部の周囲で、証印受入印刷４０の外部境界が、第１の背景印刷３２によって画定される証印受入領域３１の境界３１ａの部分と一致している。
【０１７５】
ここでも、書類３０が観察されると、第１の背景印刷３２と、証印３４と、証印受入印刷４０と、証印受入領域３１内の未印刷基材３８の性質及び外観の違いを容易に比較することができる。証印受入印刷４０は証印３４の全体の周囲に延びているので、証印３４と印刷されたキーライン領域４０とを互いに対して位置決めすることはより困難である。従って、偽造者が書類３０を偽造することを困難にするため、識別子を用いて識別される従来の書類に比べて書類３０の安全性が向上する。
【０１７６】
図４ｄは、書類３０を示しており、第１の背景印刷３２と証印受入印刷４０とを含む連続印刷層が、基材３８の第１の表面３８ａの全体にわたって設けられている。第１の背景印刷３２とインデックス受入印刷４０との間の境界は、インデックス受入領域３１の境界３１ａの一部を規定する（すなわち、第１の背景印刷３２はインデックス受入領域３１の境界３１ａの一部を規定する）。この境界３１ａは、背景印刷３２及び証印受入印刷４０の特性の任意の変化によって規定することができる。例えば、第１の背景印刷３２及び証印受入印刷４０は、異なる外観を呈し、異なる色又は色合い、パターン、テクスチャ又は任意の他の適切な特性を呈することができる。証印３４は、基材の第１の面３８ａに対して証印受入印刷４０と接触し、その上方で、証印受入領域３１に提供されている。
【０１７７】
第１の背景印刷３２及び証印受入印刷４０は、好ましくは、単一の印刷作業として適用され、証印３４は後の印刷作業においてオーバープリントされる。しかし、これは必須ではない。
【０１７８】
書類３０を基材３８の第１の面３８ａから見たとき、基材３８と証印受入印刷４０とが組み合わさって少なくとも半透明であると仮定すると、証印は、証印受入印刷４０によって囲まれることが観察され、一方、書類３０が基材３８の第２の面３８ｂから見られるとき、証印３４は、証印受入印刷４０を通して透過して見られる（証印３４と証印受入印刷４０とが重ね合わされて見える）。対照的に、基材３８及び証印受入印刷４０は実質的に不透明であり、証印３４は、証印受入印刷４０によって囲まれた基材３８の第１の面３８ａからのみ見えるであろう。それぞれの場合、証印３４は、証印受入領域３１と証印３４の境界３４ａとの間の上部分の周囲に延在する証印受入印刷４０によって形成されるキーライン３６によって部分的に囲まれるのか見えるであろう。
【０１７９】
図４ｅは、代替的な「両面」外観を示す書類３０を示し、ここで、書類３０の外観は、基材３８の第１の面３８ａ及び第２の面３８ｂから見たときに異なる。図から分かるように、図４ｅに示される書類３０は、図２ｅの書類１０に類似している。
【０１８０】
図４ｅにおいて、書類３０には、少なくとも半透明基材３８の第１の面３８ａ上に第１の背景印刷３２が設けられている。第１の背景印刷３２の境界は、図３及び図４ａ〜図４ｄを参照して先に議論した証印受入領域と同じ範囲を有する第１の証印受入領域３１の境界３１ａの一部を画定する。具体的には、第１の背景印刷によって規定される境界３１ａと、書類３０自体の外部境界３０ａとの間に、第１の証印受入領域が延在する。
【０１８１】
第１の証印受入領域３１は、基材３８の第１の面３８ａ上に印刷されていない。
【０１８２】
基材３８の第２の面３８ｂには、第２の背景印刷４２と証印３４が設けられている。第２の背景印刷４２の境界は、第２の証印受入域４１の境界４１ａを完全に規定する。図から分かるように、第２の証印受入領域４１は、第１の証印受入領域３１の横方向の広がりの一部にわたって延在している。
【０１８３】
証印３４は、第１の証印受入領域３１と第２の証印受入領域４１の両方に設けられるように横方向に配置される。キーライン３６は、第１の証印受入領域３１の境界３１ａと証印３４の境界３４ａとの間に画定され、証印３４の上部分の周囲に延びる（図３に示されるように）。さらなるキーライン３６（図３には示されていない）が、第２の証印受入領域４１の境界４１ａと証印３４の境界３４ａとの間に定義され、証印３４の全境界の周囲に広がる。
【０１８４】
基材３８の第２の面３８ａから見ると、書類３０は、図２ｅの書類１０と同じ観察者に対する外観を示す−第２の背景印刷４２に対して印刷された証印３４であり、証印３４と第２の背景印刷４２とが未印刷のキーライン４６によって分離されている。これは、第１の証印受入領域３１の境界３１ａと第２の証印受入領域４１の境界４１ａとが、キーライン３６が証印３４の境界３４ａの全体の周りに連続して現れるように、証印３４の上部（図４ｅの左側に示されている）の周りで一致しているためである。
【０１８５】
しかし、基材３８が少なくとも半透明であると仮定すると、書類３０は基材の第１の面３８ａとは異なる外観を提供することになる。具体的には、基材３８の第１の面３８ａから見ると、書類３０は、印刷されていないキーライン３６によって完全に囲まれた証印３４を示すであろう。キーライン３６は、第１の背景印刷３２（図３に示されるように）から証印３４の上部と、第２の背景印刷４２（図３には示されない）から証印３４の下部とを離間させる。
【０１８６】
したがって、書類３０の外観は、基材３８のいずれかの面３８ａ、３８ｂから（すなわち、使用中の書類３０のいずれかの面から）見ると、異なるものとなる。この場合、観察者は、印刷された特徴と未印刷の特徴のそれぞれの特性と外観を両面から比較するために、書類３０を検査することができるであろう。
【０１８７】
図４ａ〜図４ｅに示される書類３０は、さらに、図１及び図２ａ〜図２ｌを参照して議論される構造及び技術のいずれかを使用して、より複雑な視覚効果を作成するように修正されてもよい。例えば、証印３４は、図２ｉから図２ｌのように、書類３０の対向する面に印刷される２つの部分に分割することができる。代替的に、１つ又は複数の証印受入印刷は、これらの印刷が証印３４の少なくとも一部の周囲に延びるキーライン３６に現れるように、（例えば）図４ｅの証印３４の下又は周囲に設けられてもよい。
【０１８８】
図５は、図１及び図３の書類に対して多くの類似の特徴を含むさらなる例示的な書類５０を図示する。書類５０は、上述した技術のいずれかを用いて構成することができる。図から分かるように、書類５０には、「０１２３Ｚ」を読み取るように、５つの英数字の証印５４を有する識別子が設けられている。
【０１８９】
図３の書類３０と同様に、図５の書類５０は、ここで証印受入領域５１の境界の全体を規定する背景印刷５２を備える。証印５４は、証印受け領域５１の境界によって横方向（すなわち、書類５０の面内）に囲まれるように、証印受入領域５１内に設けられる。
【０１９０】
しかしながら、図５の書類５０は、図１ａ及び図３の書類１０、３０とは、２つの有意な態様で相違している。
【０１９１】
まず、背景印刷５２及び証印５４の並置によって生成されるキーライン５６は、証印５４の一部分の周りにのみ延在する（図１ａ、図１ｂ及び図１ｃに示す書類１０とは異なり）。上述の実施形態のように、キーライン５６は、図３に示されるように、各証印５４のほぼ上半分ではなく、（背景印刷５２によって定義されるように）証印受入域５１の境界と各証印５４の境界との間に画定されるが、証印受入領域５１の境界は、証印５４の最上部分において、各証印５４の境界の輪郭に従うだけである。例えば、証印「Ｚ」の周りに延びるキーライン５６は、文字「Ｚ」の上部と上部のバーの側（つまり、上部の水平ストローク）の周りの境界線としてのみ延びている。
【０１９２】
キーライン５６が証印５４の境界に隣接して延在する各証印５４の割合は、証印５４の形状に依存して変化する。「２」、［３」及び「Ｚ」の証印５４の場合には、キーライン５６は、各証印５４の境界の約２０％の長さだけ延び、「１」の場合には、キーライン５６は、証印５４の約４０％の長さだけ延び、「０」の場合には、キーライン５６は、証印の外部境界の約５０％延びる。キーライン５６は、「０」 の内部境界（つまり「０」 内の負の空間の境界）の周囲に延びていない。
【０１９３】
第２に、図５に示されているインデキシウム受入領域５１の横方向の広がりは、図３の書類３０に対してサイズが縮小され、書類５０の全幅にわたって延在する代わりに、図５の証印受入領域５１は、書類５０の面積の１０％未満をカバーする。図３の書類３０とは異なり、図５に示される証印受入領域５１は、書類５０の境界まで延びていない。換言すれば、証印受入領域５１の境界は、背景印刷５２によって完全に規定される。図４ａ〜図４ｅを参照して説明したように、証印受入領域５１は、印刷されても、印刷されていなくてもよい。
【０１９４】
図５を参照して議論された証印受入領域５１の付加的な特徴は互いに本質的に関連しなく、任意の組合せで上述した書類の代替実施形態の特徴と組み合わせることができるということが理解されるであろう。
【０１９５】
さらに、図２ａ〜２ｌ及び図４ａ〜４ｅの例示的な断面に示される異なる構造（又は構造の任意の修正）を使用して、同一書類に提供される同一の識別子又は証印に提供される異なる証印の周囲にキーラインを作成してもよいことが理解されよう。例えば、識別子が２つ以上の証印を含む場合、１つ以上の証印は、図２ａに示される構造を用いて形成されるキーラインによって囲まれてもよく、一方、図４ｂなどの断面に従って、同じ識別子の１つ以上の１つ以上の証印が設けられてもよい。
【０１９６】
図６、７、８、及び９は、識別子６９、７９、８９、９９が適用された、さらなる書類６０、７０、８０、９０の一部を示す。書類６０、７０、８０、９０は、各々が固有識別子６９、７９、８９、９９を備えているより広い一組の書類の一部である。
【０１９７】
これらの書類６０、７０、８０、９０は、本発明と共に多種多様な識別子６９、７９、８９、９９を使用できることを示している。図６では、英数字のシリアルコード６９が、書類６０上に縦横に印刷されている。シリアルコードは「Ａ／Ｉ ００００００」と読める。さらに、識別子６９内の各証印６４は、先行する証印６４に比べてサイズが大きくなる。図７において、識別子７９は循環コードである。このコードでは、ストリング（ｓｔｒｉｎｇ）又は一連のディジット（ｄｉｇｉｔｓ）が、識別子７９の中心にある円を囲む一連のセグメント内の円弧によって表される（「ＡＣ」とマークされている）。ストリング内の各ディジットの値は、対応するセグメント内の円弧の数と、識別子７９の中心からの円弧の距離とによって符号化される。図８は、コードが円形パターンで配列されている従来の書体を使用した識別子８９（具体的には、「Ａ１２３４５５６７８９Ａ」と読める英数字コード）を示す。図９は、再び「Ａ／Ｉ ００００００」と読むことができ、図６の水平方向の識別子６９の場合と同じように、証印９４間のサイズにおいて増加が同じである、識別子９９を示す。
【０１９８】
書類６０、７０、８０、９０は、それぞれ２つの印刷物６１、７１, ８１, ８１、９５と、実質的に透明な基材の対向面に適用される６５、７５、８５、９５（９５は図示せず）とを用いて構成されている。図６及び図７に示す書類６０、７０は、図２ｇに示す書類１０の断面と配置及び構造が類似している。図８に示す書類８０は、図２ｅに示す書類１０の断面と配置及び構造ni類似している。最後に、図９に示す書類９０は、図２ｉに示す書類１０の断面に対する配置及び構造に類似している。
【０１９９】
図６ａは、書類６０の基材の第１の面に適用される第１の印刷物６１を示す。図６ｂは、書類６０の基材の対向する第２の面に適用される第２の印刷物６５を示す。最後に、図６ｃは、基材１５の第１の面からの透過して見える書類６０を示す
【０２００】
図６ａの第１の印刷物６１は、図２ｇの第２の背景印刷２２と証印１４との組み合わせに対応する。図６ａから分かるように、第１の印刷物６１は、第１の背景印刷６２を含み、その境界は、複数の未印刷第１の証印受入領域６３の境界６３ａを規定する。第１の印刷物は、さらに、書類６０に適用される識別子６９を形成する複数の証印６４を含む。各証印６４は、各証印６３と第１の背景印刷６２の並置が各証印６３の周囲に延びるキーライン６８を規定するように、それぞれの第１の証印受入領域６３内に配置されている。上述したように、第１の証印受入領域６３は、−従って証印受入領域６３内に形成されたキーライン６８−、第１の印刷物６１において未印刷である。
【０２０１】
第２の印刷物６５は、図２ｇの第１の背景印刷１２と証印受入印刷２０の組み合わせに対応する。図６ｂに示されるように、第２の印刷物６５は、複数の第２の証印受入領域６６の境界６６ａを規定する第２の背景印刷６７を含む。複数の第２の証印受入領域６６は、第１の証印受入領域６３と同じ横方向の範囲を共有している。さらに、第１及び第２の印刷物６１、６５は、第１及び第２の証印受入領域６３、６６が対応するように、書類６０に適用される。換言すれば、第１及び第２の証印受入り領域６３、６６は、図６ｃに見られるように、書類６０において同じ横方向の範囲及び位置を共有している。
【０２０２】
第２の印刷物６５は、第２の背景印刷６７によって画定された複数の第２の証印受入領域６６内に設けられた複数の証印受入印刷６８ａを更に含む。証印受入印刷６８ａの各々は、それぞれの第２の証印受入領域６６の境界６６ａと、それぞれの証印受入領域６６内（ただし、書類６０基材の対向する第１の面）に横方向に設けられたそれぞれの証印６４の境界との間に延在する。従って、証印受入印刷６８ａは、それぞれの証印６４（書類６０の基材の第１の面に適用されるようである）の同じ横方向の範囲を有する内部の未印刷領域を規定する。証印受入印刷６８ａは、書類６０の基材の第２の面に適用され、証印６４の境界の周囲で横方向に延びる、複数の印刷されたキーライン６８を形成する。
【０２０３】
第１の背景印刷６２と第２の背景印刷６７は、カラーで半透明である。従って、透過して書類の第１の面から見た場合、図６ｃに示さられるように、証印６４が、証印受入印刷６８ａの外観を示すキーライン６８によって囲まれ、第１の背景印刷６２と第２の背景印刷６７との重ね合わされた組み合わせに対して見える（すなわち、証印６４は、キーライン６８によって、重ね合わされた第１の背景印刷６２と第２の背景印刷６７とから分離される）。
【０２０４】
証印「Ａ」、「／」及び「Ｉ」が設けられている証印受入領域６３ｂ、６６ｂは、分離されておらず、又は横方向に離間されていない。代わりに、書類９０の第１の面に設けられた背景印刷６１、６５が、連続する証印受入領域６３ｂ，６６ｂを規定し、書類６０を透過で見たときに３つの証印のすべてが現れる。対照的に、「０」の証印が現れる証印の受入領域６３、６６は連続的ではなく、横方向に間隔を置いている。
【０２０５】
図７ａ及び図７ｂは、図７ｃに示す書類７０を形成するために使用される印働き７１、７５を示す。書類７０及び印刷物７１、７５は、図６に示す書類６０及び印刷物６１、６５と同様の構造及び特徴を有するが、参照符号は、対応する図で値１０によって増分されている。図７に示される書類７０は、（図６に示されるように）英数字の識別子６９ではなく、曲線要素又はグリフ形状の形態で証印７３の形態で記号コードを示す。
【０２０６】
好ましくは、図６及び図７の印刷された特徴のそれぞれは、視覚的に対比される。例えば、図６の書類６０では、第１の背景印刷６２はピンク色に見えることがあり、証印受入印刷６８ａ（従って、キーライン６８）はモーブ色に見えることがあり、証印６４はインディゴ色に見えることがあり、第２の背景印刷６７は青色に見えることがある。図６の書類６０の第１の背景印刷６２及び第２の背景印刷６７は、アンチ走査線スクリーンパターンを示す。同様に、図７において、第１の背景印刷７２は、オレンジ色のアンチ走査パターンであってもよく、証印受入印刷６８ａは、パターン化されていない緑色の領域であってもよく、証印７４は、パターン化されていないオレンジ色の領域であってもよく、第２の背景印刷７７は、緑色のアンチ走査パターンであってもよい。
【０２０７】
図８の書類８０は、図２ｅに示す書類１０と同様の構造を有する。上述したように、書類８０は、実質的に透明な基材を備える。図８ａは、書類基材の第１の面に適用される第１の印刷物８１を示す。図８ｂは、基材の対向する第２の面に適用される第２の印刷物８５を示す。図８ｃは、透過で見られるような書類８０を示す。
【０２０８】
書類の第１の印刷物８１は、複数の第１の証印受入領域８３の境界８３ａを規定する第１の背景印刷８２を含む。第１の証印受入領域８３は、横方向領域８３ａが結合されず互いに重ならないように、互いに横方向に離間されている。第１の印刷物８１は、対応する複数の証印８４を更に含み、その各々がそれぞれの証印受入領域８３内に設けられ、各証印受入領域８３内に単一の証印８４が印刷されるようになっている
【０２０９】
図８に示されている書類の第２の印刷物８５は、第２の背景印刷８７を備えている。第２の背景印刷８７は、第１の印刷物８１内の第１の証印受入領域８３と同じ横方向の範囲を共有する複数の第２の証印受入領域８６の境界８６ａを規定する。第１及び第２の印刷物８１、８５は、第１及び第２の証印受入領域８３、８６が完全な書類８０内で対応するように、書類の基材の対向する面に適用される。言い換えれば、第１の背景印刷８２及び第２の背景印刷８６は、それぞれ、図８ｃに示す書類８０内の同じ横方向の範囲及び位置を有する複数の証印受入領域８３、８６を画定する。したがって、キーライン８８は、各第２の証印受入領域８６の境界８６ａと、各証印８４の境界との間に規定される。第２の背景印刷８７によって規定される証印受入領域８６は、第２の印刷物８５において印刷されない。
【０２１０】
第１の背景印刷８２及び第２の背景印刷８７は、少なくとも半透明である。したがって、図８ａに示すように基材の第１の面から透過で見た場合、書類８０は、第１の背景印刷８２と第２の背景印刷８７との重ね合わせに対して見られる、印刷されていない、実質的に透明なキーライン８８によって囲まれた証印８４を示す。印刷された特徴は、好ましくは、対照的な視覚的外観を有し、互いに容易に区別することができ、特徴の位置は、観察者によって容易に検証され得る。印刷された印刷物が異なる視覚的外観を示す場合は、書類の安全性がさらに向上する。例えば、第１の背景印刷８２は半透明のグリーンインクで形成することができ、証印８４は不透明のグリーンインクで形成し、第２の背景印刷８７は半透明のブルーインクで形成することができる。
【０２１１】
最後に、図９には、識別子９９が、書類９０の実質的に透明な基材の対向する面に適用される２つの別個の部分９４ｂ、９４ｃに分割又は分離される書類９０が示されている。識別子の各部分９４ｂ、９４ｃは、２つの部分９４ｂ、９４ｃを横切って分割される１つ又は複数の完全な証印９４と、さらなる証印９４の複数の部分とを含む。したがって、図９の書類９０の構造は、図２ｉに示す書類１０の構造と同様である。基材の第１の面に適用される識別子９９の部分９４ｂ（全体の証印「／」及び各「０」の証印の左半分の両方を含む）は、識別子９９の２つの部分９４ｂ、９４ｃの間のハッチングの差によって示されるように、基材の第２の面に適用される識別子９９の部分９４ｃ（これは、全体の証印「Ａ」及び「Ｉ」及び各「０」証印の右半分を含む）に対して異なる外観を有することが好ましい。
【０２１２】
図９ａは、実質的に透明である書類基材の第１の面に適用される第１の印刷物９１を示す。第１の印刷物９１は、背景印刷９２を含む。背景印刷９２は、後述するように、異なる視野角で見たときに異なる外観を示すエンボス潜在ライン画像である。
【０２１３】
第１の背景印刷９２の境界は、複数の証印受入領域９３の境界９３ａを規定する。第１の印刷物９１は、識別子９９の第１の部分９４ｂを更に含み、基材の第１の面から見たとき、完全な証印「／」及び各「０」証印の左半分（部分）を含む。第１の背景印刷９１の証印「／」と、その証印「０」の部分は、証印受入領域９３内に設けられている。証印受入領域９３は、それ以外は印刷されていない。
【０２１４】
書類基材の対向する第２の面に適用される第２の印刷物（個々の図面には図示されていない）は、識別子９９の第２の部分９４ｃと、を含み、基材の第１の面から見て、完全な証印「Ａ」及び「Ｉ」、及び各「０」の証印の右半分を含む。
【０２１５】
図９ｂは、書類９０の面に垂直な角度で、書類９０の第１の面から透過して見える書類９０を示す（図６ｃ、図７ｃ及び図８ｃの図に対応する）。第１の印刷物９１及び第２の印刷物は、識別子９９の証印９４を正しく形成するために、識別子９９の部分９４ｂ、９４ｃがレジスタに設けられるように（すなわち、横方向に位置決めされ、整列される）、基材の対向する面に適用される。
【０２１６】
各々の証印９４は、それぞれの証印受入領域９３内に横方向に配置される。証印９４と背景印刷９２との並置によって形成されるキーライン９８は、各イ証印９４の境界の周囲に延在し、キーライン９８は、各証印９４と背景印刷９２との間を、証印９４の境界とそれぞれの証印受入れ領域９３の境界９３ａとから延在するようになっている。キーライン９８は、基材の第１及び第２の面の両方に印刷されていない。
【０２１７】
証印「Ａ」、「／」及び「Ｉ」が設けられている証印受入領域９３ｂは、分離されていないか、又は横方向に間隔を置いていないことに留意されたい。その代わりに、書類９０の第１の面に設けられた背景印刷９２は、書類９０が透過で見たときに、３つのすべての証印が現れる連続的な証印受入領域９３ｂを規定する。証印「Ａ」、「／」、「Ｉ」の各部分の周囲に延在するキーライン９８は、この証印受入領域９３と背景印刷９２との間に規定される。対照的に、「０」証印の各々は、個々の証印受入領域９２ａ内に設けられ、複数の領域９２ａは互いから、及び「Ａ」、「／」及び「Ｉ」が受け入れられ又は提供される証印受入領域９２ａから、横方向に離間される。
【０２１８】
書類９０を（図９ｂに示されるように）基材の第１の面から透過状態で見た場合、基材の対向する側に適用される識別子９９の部分９４ｂ、９４ｃは、組み合わせで見え、識別子９９は全体として見える。さらに、未印刷で実質的に透明なキーライン９８は、識別子９９の各証印９４の周囲に延在し、証印９４を背景印刷９２から分離する。
【０２１９】
上述したように、書類の対向する面に適用される識別子９９の部分９４ｂ、９４ｃは、異なる外観（例えば、異なる色、色合い、透明度、反射率、又はパターン）を示すことが好ましい。第１の印刷物９２に含まれる識別子９９の部分９４ｂ（即ち、スラッシュ「／」及び「０」証印の左半分）は青色に見えることがあり、一方、第２の印刷物９５に含まれる識別子９９の部分９４ｃ（すなわち、証印「Ａ」、「Ｉ」、及び証印「０」の右半分）は緑色に見えることがある。
【０２２０】
背景印刷９２は、光学的に可変な効果を示すエンボス潜像であり、ここで、背景印刷９２の外観は、視野角が変化するにつれて変化する。書類の平面に対して実質的に垂直な角度（すなわち、書類に対して垂直な角度）では、背景印刷９２は、図９ｂに示すように、何ら明白なパターンを示さない。しかし、傾斜すると潜像が観察される。
【０２２１】
この例に示されるように、好ましくは、背景印刷９２内に形成されるエンボス潜像は、書類９０に適用される識別子９９に概念的にリンクされる。例えば、図９ｃに示すように、エンボス潜像は、識別子９９の数値部分、「００００００」を示すことができる。したがって、観察者は、書類９０を認証するように、背景印刷９２によって示される潜在効果を証印９４と比較することができる。このような実施形態は書類９０の安全性を高める。
【０２２２】
さらに、背景印刷９２の潜像のエンボスラインも明確な触覚効果を与えるであろう。従って、持参者は、背景印刷９２を、未印刷のキーライン９８及び印刷された証印９４から、視覚及び触覚の両方によって識別することができる。この特性の併用は、固有に識別された多数の書類を生成するために従来の印刷技術を用いて複製することを偽造者にとって容易でなくし、従って、書類９０の安全性を高める。
【０２２３】
本発明による書類の代替の実施例では、背景印刷の一つ以上が代替の光学的に可変な効果を示すことができる。例えば、第１及び／又は第２の背景印刷は、レンズ状の工夫、回折構造（例えば、ホログラム又はキネグラム（kinegram））、モアレ拡大（moire magnifier）、光学的に可変な顔料又はインク、又は代替の光学的に可変なデバイスを含み得る。これらの書類は安全性を高める。
【０２２４】
上述の特定の実施態様の各々において、書類は、各証印において同じ構造又は断面を含む。従って、識別子の各証印は、類似した外観を有するキーラインを呈する。しかしながら、これは必須ではなく、代替的に、各キーラインがそのそれぞれの証印の周囲に延びるキーライン及び範囲の外観は、書類内で変化され得る。
【０２２５】
例えば、書類（及びそのような書類の一組）には、複数の証印で形成された識別子を設けることができ、ここで、何らかのキーラインなしで前記証印の１つ以上が設けられていること、未印刷のキーラインによって部分的又は全体的に囲まれている前記証印の１つ以上、及び／又は印刷されたキーラインによって部分的又は全体的に囲まれている前記証印の１つ以上、を挙げることができる。加えて、単一の証印には、証印の丸い異なる部分を延長し、異なる特性を呈する（例えば、異なるキーラインが視覚的にコントラストを有するように）複数のキーラインを設けることができる。これらの変形は更に一組の書類の複製を複雑にし、と一組の書類の安全性を向上させる。
【０２２６】
図１０及び図１１は、上述の書類を製作するためのウェブ給紙印刷システムを概略的に示す図である。それぞれのケースにおいて、対向する第１及び第２の面１１０ａ、１１０ｂを有する基材１１０は、一つ以上の印刷ステーションを通って方向D1に移動する。各場合において、基材１１０が自己支持しない場合には、キャリア層（図示せず）が使用されてもよい。印刷ステーションは、好ましくは、デジタル印刷システム（例えば、インクジェット印刷、レーザ印刷、昇華型又はゼログラフィーシステム）である。しかし、これは必須ではない。
【０２２７】
図１０（ａ）及び図１０（ｂ）は、印刷物が基材１１０の第１の面１１０ａに適用される（すなわち、書類が「片面」で印刷される）書類を製作するための２つのシステムレイアウト１００、２００を概略的に示す。
【０２２８】
図１０（ａ）は、１つ以上の印刷物が書類基材１０の第１の面１００ａに適用される印刷技術及びシステム１００を示す。基材１１０の横方向の連続したウエブは、方向Ｄ１に移動する。基材は、２つの対向する面１１０ａ、１１０ｂを有する。図示のように、第１の面１１０ａはウェブの表面１１０ａであり、一方、第２の面１１０ｂがウェブの下面である。
【０２２９】
２つの印刷ステーション１２０、１３０は、基材ウェブの第１の面１１０ａと接触して、又は隣接して配置される。各印刷ステーション１２０、１３０で、１つ又は複数の印刷物又は印刷層が、基材１１０の上面１１０ａに適用される。印刷ステーション１２０、１３０は、順番に基材１１０の第１の面１１０ａに印刷物を施す。
【０２３０】
例えば、図２ａに示すような書類１０又は図４ａに示すような書類３０を製作する場合、方向Ｄ１における第１の印刷ステーションは、背景印刷１２、３２を含む第１の印刷物を適用し、方向Ｄ１における第２の印刷ステーションは、複数の証印１４、３４から形成される識別子を含む第２の印刷物を適用してもよい。図２ｂ、２ｃ、４ｂ、４ｃ及び４ｄに示すように、書類１０、３０が印刷されたキーライン領域２０、４０を含む場合、証印受入印刷２０、４０は、第１の印刷物の一部として第１の印刷ステーション１２０によって、又は第２の印刷物の一部として第２の印刷ステーション１３０によって提供されてもよい。代替的に、証印受入印刷２０、４０は、第１又は第２の印刷ステーション１２０、１３０のいずれかによって、又は図１０ａに示されていない代替の印刷ステーションによって、別の印刷物として適用されてもよい。
【０２３１】
代替的に、上述の印刷された特徴は、図１０（ｂ）に示すシステム２００のように、単一の印刷ステーション１２０を使用する単一の印刷物において、基材１１０の第１の面１１０ａに同時に適用されてもよい。
【０２３２】
図１０（ｂ）に示される同時印刷システム２００は、図１０（ａ）に示されるシステム１００よりも正確であり得る。これは、図１０（ａ）の異なる印刷ステーション１２０、１３０を互いに対して正確に位置決め又は位置合わせすることが困難であり得るからである。そのため、基材の対向する面に適用される印刷物と層との間の正確な、すなわち接近した位置を達成することは困難な場合がある。
【０２３３】
図１１（ａ）、１１（ｂ）及び１１（ｂ）は、書類を製作するための３つのシステムレイアウト３００、４００，５００を概略的に示し、印刷物は 基材１１０の各面１１０ａ、１１０ｂに施される（すなわち、書類は「両面」印刷される）。
【０２３４】
図１１（ａ）に示されるシステム３００は、２つの印刷ステーション３２０、３３０を備える。図から分かるように、第１の印刷ステーション３２０は、基材１１０のウェブの上方に設けられ（つまり、ウェブの第１の面上に）、一方、第２の印刷ステーション３３０は、ウェブの下方（つまり、ウェブの第２の面上）に設けられる。これらの印刷ステーション３２０、３３０は、印刷物を基材１１０の対向する面１１０ａ、１１０ｂに適用することができる。２つの印刷ステーション３２０、３３０は、ウエブの移動Ｄ１で互いにずれている。
【０２３５】
例えば、第１の印刷ステーション３２０は、（例えば）第１の背景印刷を含む第１の印刷物を適用することができ、第２の印刷ステーション３３０は、（例えば）第２の背景印刷と識別子とを含む第２の印刷物を適用することができる。これらの印刷物は順次適用される。なぜなら、印刷ステーション３２０、３３０はウェブの移動Ｄ１に互いにずれているからである。
【０２３６】
図１１（ｂ）は、基材１１０のウェブの両側に印刷するための代替システム４００を示す。２つの印刷ステーション４２０、４３０がは、ウエブの同じ側で（すなわち、移動方向Ｄ１でのオフセットを）順次適用される。図１１（ｂ）に示すように、印刷ステーション４２０、４３０はいずれもウェブの上方にある。
【０２３７】
２つの印刷ステーション４２０、４３０の間で、基材１１０のウェブは、部分４４０でフリップされるか、又は回され、それによって、移動方向Ｄ１の周りに１８０°回転される。したがって、第１の印刷ステーション４２０は、１つ又は複数の印刷物を基材１１０の第１の面１１０ａに適用することができ、続いて、第２の印刷ステーションは、基材１１０の第２の面１１０ｂに１つ又は複数の印刷物を適用することができる。このようなシステムは、印刷ステーションをウェブの片側（例えば、図１１ｂに示すように上側）にのみ設ける必要があるので、よりコンパクトである。
【０２３８】
最後に、図１１（ｃ）は、基材１１０の両側１１０ａ、１１０ｂに同時に印刷するためのさらなるシステム５００を示す。２つの印刷ステーション５２０、５３０は、１つ又は複数の印刷物を基材１００のいずれかの面１１０ａ、１１０ｂへ同時に適用することができるように、ウェブの対向する面に設けられている。２つの印刷ステーション５２０、５３０は、単一のプリンタ又は印刷システムの一部であってもよい。
【０２３９】
実際には、上述のシステム１００〜５００のいずれかは、さらなる印刷物又は層（例えば、不透明化層、保護層、帯電防止層）を基材１１０に、同時に、又は先行又は後続のステップで提供するために適合されたさらなる上流又は下流の印刷ステーションを備えることができる。
【０２４０】
上述した実施例では、記載したステップの全てがウェブベースのステップである（すなわち、層及び印刷物が基材１１０, 例えば、１つのインラインウェブプロセスでウェブに適用される）。通常、幅の大きいウェブ（たとえば、０．７５ 〜１．５ｍ） がこの目的のために供給される。
【０２４１】
しかしながら、本発明の代替の実施形態では、書類は、ウェブ給紙及びシート紙給紙プロセスステップを併用して生成される。例えば、いくつかのプロセスステップでは、ウェブの幅を縮小することが望ましく、例えば、より短い（従って、より低コストの）プロセスツールを使用することができる。また、連続ウェブ上ではなく、材料の個々のシート上で一定のプロセスステップを実行することが望ましい。
【０２４２】
いくつかの実施形態では、ウェブベースのプロセスを使用して、少なくとも第１の印刷物が適用される。これらの印刷作物よび不透明化層は、幅の大きい（例えば、０．７５〜１．５ｍの間の）ポリマー基材ウェブの片側に適用される。次いで、ウエブは、シートフィード印刷のためにシートに分割され、それによって、少なくとも第２の印刷物が、基材の面に接触して、又はその面より上に適用される。
【０２４３】
ウェブ基材をシート基材に変換すること（すなわち、ウェブをシートに分割すること）は、その幅を減少させるように、その長手方向に沿って初期ウェブをスリットすることを含み、その後の処理ステップは、先のステップのものと比較して、対応してより短い幅の処理ツールを利用する。次いで、スリットウェブは、長手方向に間隔を置いてその交差方向に沿って切断することによってシート状に変換される。このプロセスは、「シーティング」と呼ばれることもある。各シートは、複数の最終書類を搬送するようなサイズにすることが好ましい。その後の印刷プロセス及びさらなる印刷物の適用は、次いで、シート給紙機械を使用して実行されてもよい。得られたシートは、必要に応じて最終書類を作成するために、印刷前又は印刷後にさらに分割されてもよい。換言すれば、本発明による書類は、ウェブ給紙及びシート給紙印刷ステップを併用して印刷することができる。
【０２４４】
代替的に、本発明による書類は、シート給紙プロセスのみを用いて構成されてもよい。このようなプロセスでは、すべての印刷物及び／又は層が基材の静止シートに適用される。この基材シートは、印刷物又は層を反対側に適用するために、回転又はフリップされてもよい。
【図１ａ】
2022502286.tif 000003
【図１ｂ】
2022502286.tif 000004
【図１ｃ】
2022502286.tif 000005
【図２ａ】
2022502286.tif 000006
【図２ｂ】
2022502286.tif 000007
【図２ｃ】
2022502286.tif 000008
【図２ｄ】
2022502286.tif 000009
【図２ｅ】
2022502286.tif 000010
【図２ｆ】
2022502286.tif 000011
【図２ｇ】
2022502286.tif 000012
【図２ｈ】
2022502286.tif 000013
【図２ｉ】
2022502286.tif 000014
【図２ｊ】
2022502286.tif 000015
【図２ｋ】
2022502286.tif 000016
【図２ｌ】
2022502286.tif 000017
【図３】
2022502286.tif 000018
【図４ａ】
2022502286.tif 000019
【図４ｂ】
2022502286.tif 000020
【図４ｃ】
2022502286.tif 000021
【図４ｄ】
2022502286.tif 000022
【図４ｅ】
2022502286.tif 000023
【図５】
2022502286.tif 000024
【図６ａ】
2022502286.tif 000025
【図６ｂ】
2022502286.tif 000026
【図６ｃ】
2022502286.tif 000027
【図７ａ】
2022502286.tif 000028
【図７ｂ】
2022502286.tif 000029
【図７ｃ】
2022502286.tif 000030
【図８ａ】
2022502286.tif 000031
【図８ｂ】
2022502286.tif 000032
【図８ｃ】
2022502286.tif 000033
【図９ａ】
2022502286.tif 000034
【図９ｂ】
2022502286.tif 000035
【図９ｃ】
2022502286.tif 000036
【図１０ａ】
2022502286.tif 000037
【図１０ｂ】
2022502286.tif 000038
【図１１ａ】
2022502286.tif 000039
【図１１ｂ】
2022502286.tif 000040
【図１１ｃ】
2022502286.tif 000041
【国際調査報告】
2022502286.tif 000042
2022502286.tif 000043